(57)【特許請求の範囲】
【請求項１】
情報がピットとして記録された円盤状光記録媒体（２）を回転駆動する手段（１７）と、前記光記録媒体から記録情報を読み出す光ヘッド（６）と、前記光ヘッドを前記光記録媒体の半径方向に移動可能なヘッド移動手段（２３）と、前記光ヘッドで読み出された情報を処理する信号処理手段とを有し、ピットの存在により反射光量の少ない第１低反射部（７４０）と非ピット部による上記第１低反射部より反射率の高い高反射部（７４１）を再生手段により検出することにより、光記録信号を再生する再生装置において、
前記光記録媒体の少なくともピットの２次元配置又はピットの形状を含む物理的特長を表わすものであって、前記光記録媒体の製造時に暗号化されて記録された第１物理特徴情報（５３２）を前記光ヘッドもしくは磁気ヘッドで読み出された情報から検出する第１物理情報検知手段（７４３，３８，６６５）と、前記第１物理特徴情報を復号する暗号復号手段（５３４）と、前記光記録媒体の物理的特長を測定して第２物理特徴情報を得る手段（１７a，６，３８，７０３a）と、前記第２物理特徴情報を前記第１物理特徴情報と照合して、両者間に特定の関係があるか否かを判断する照合手段（５３５）と、前記照合手段にて、前記第２物理特徴情報が前記第１物理特徴情報に対して前記特定の関係にないときは、前記光記録媒体から読み出されたプログラムの動作を停止するか、前記光記録媒体からその後の情報の読み出しを停止するか、前記光記録媒体から読み出される情報の前記信号処理手段による所定の処理を停止する制御手段（７１７，６６５）とを備え、
前記第２物理特徴情報を得る手段は、光記録信号領域（７４２）の中に設けられ、かつ上記第１低反射部より円周方向の距離が長く、かつ上記高反射部より反射率の低い第２低反射部（５８４）を検出する第２低反射部検出手段（５８６）の検知信号に基づき第２物理特徴情報を得、
前記第２低反射部検出手段は、前記光記録信号をレベルスライサでスライスすることにより、前記第２低反射部を検出し、第２低反射部検知信号と、再生手段（５９０）により検知された光記録信号の情報に基づき、第２低反射部の位置かつ／もしくは、円周方向の長さ、かつ／もしくは円周方向の間隔を検出する第２低反射部位置検出手段（５９６）を有し、
前記第２低反射部位置検出手段（５９６）は、光記録信号の特定のマーク信号をマーク信号検出部（５９３）が検出した時、出力するマーク検出信号に基づき、第２低反射部の位置かつ／もしくは円周方向の長さ、かつ／もしくは間隔を検知することを特徴とする再生装置。
【請求項２】
前記マーク信号としてアドレス信号を用いることを特徴とする請求項１記載の再生装置。
【請求項３】
前記第２低反射部位置検出手段（５９６）は、再生クロック信号をカウンタ（５９８）により数えたカウント数とアドレス信号により、第２低反射部の位置もしくは／かつ円周方向の長さを検出することを特徴とする請求項２記載の再生装置。
【請求項４】
前記第２低反射部位置検出手段（５９６）は、アドレス信号と、カウンタ手段（５９８）によりカウントしたフレーム同期信号と再生クロック信号のカウント数により第２低反射部の位置を検出することを特徴とする請求項３記載の再生装置。
【請求項５】
前記第２低反射部位置検出手段（５９６）は、光記録信号のアドレス信号と、フレーム同期信号により第２低反射部の位置を検出することを特徴とする請求項２記載の再生装置。
【請求項６】
光記録信号に基づく同期信号再生手段（３８a）の再生クロック数をカウンタ（５９８）でカウントすることにより、第２低反射部の位置もしくは／かつ円周方向の長さもしくは／かつ円周方向の間隔情報を検出することを特徴とする請求項２記載の再生装置。
【請求項７】
ＥＦＭ復調手段（５９２）の同期クロック再生手段（３８a）のクロック信号を同期信号として検出することを特徴とする請求項６記載の再生装置。
【請求項８】
前記マーク信号としてＣＤのサブコード信号の中の特定信号を検出することを特徴とする請求項１記載の再生装置。
【請求項９】
前記第２低反射部位置検知手段（５９６）は、マーク信号検知手段（５９３）が検出した基準マーク検知信号と第２低反射部検出手段（５８６）が検出した基準第２低反射部検知信号との時間間隔を時間補正部（６０７）が測定して基準補正時間を求め、特定のマーク信号検知信号と特定の第２低反射部検知信号との時間間隔を、上記基準補正時間を用いて補正することにより、上記第２低反射部の位置を検出することを特徴とする請求項１記載の再生装置。
【発明の詳細な説明】
【０００１】
【発明の属する技術分野】
本発明は、記録媒体に情報を記録もしくは再生する記録再生装置に関するものである。
【０００２】
【従来の技術】
近年光ディスクは様々な分野での応用が拡がりつつある。光ディスクは記録のできるＲＡＭディスクと記録のできないＲＯＭディスクに分けられるが、ＲＡＭディスクはＲＯＭディスクに比べて５倍から１０倍メディアの製造コストが高い。従って、大勢の人に大量の情報を配給する用途、例えば電子出版用途や音楽ソフトや映像ソフトを供給する用途のように安いメディアコストが要求される用途にはＲＯＭディスクが主として用いられている。しかし、ＣＤＲＯＭゲーム機やＣＤＲＯＭ内臓パソコンにみられるようにインタラクティブ用途への応用が拡がるにつれＲＯＭディスクにもＲＡＭ機能が求められるようになりつつある。民生用では大きなＲＡＭ容量が要求される用途は少ないため、民生用のインタラクティブ用途において、小容量ＲＡＭ機能と大容量ＲＯＭ機能と低コストの３条件を実現する新しい概念のメディアの登場が待たれていた。又、最近ＣＤ等のＲＯＭディスクの不正複製版が出回り、著作権者に深刻な損害を与えている。ＣＤ等の複製防止方式も求められている。又、ディスクに暗号化した複数のプログラムを入れ、パスワードにより解錠するソフト配布方式も普及しつつあり、パスワードのセキュリティを上げるため、ＲＯＭ毎に異なるＩＤ番号を記録することが求められている。
【０００３】
この概念を実現する一手法はＲＯＭディスクの裏面に一層の磁気記録層を設ける方法である。この場合の記録層形成の工程はＲＯＭディスクのコストの１０分の１以下で、できるためＲＯＭディスクのコストを上げることなくパーシャルＲＡＭディスクを実現できる。一つの方法としてカートリッジをもたないＣＤＲＯＭのようなＲＯＭディスクに関して、日本特許公開番号、５６−１６３５３６、５７−６４４６、５７−２１２６４２、２−１７９９５１にみられるように、ＣＤＲＯＭの表面に光記録部を、裏面に磁気記録部を設ける手法は既に提案されている。また、６０−７０５４３にみるようにアモスファス材料を用いた光ディスクのように非磁性材料からなる光記録部を表面に設け、裏面に磁性をもつ磁気記録層をもつディスクを用い、裏面側の機器部に磁気ヘッドを設けて磁気記録することが開示されている。
【０００４】
又、複製防止方法に関してもディスクに意図的に傷をつけたり、すかしを入れたり、特殊な工程により特殊なディスクを作ることにより、その特殊な製造装置をもたないと製造できないという点を利用した複製防止手段しか開示されていなかった。
【０００５】
【発明が解決しようとする課題】
しかしこれらの方法は単に磁気記録部と光記録部を単純に組み合わせただけで具体的に実現するのに必要な要件は全く開示されていない。例えば機器を実現する場合に重要な、光記録部と磁気記録部の相互干渉を防ぐ方法や、簡単な構成で磁気トラックにアクセスする方法や、回路を共用する方法やカートリッジなしで用いるメディアの磁気記録情報を磁気や摩耗等の外部環境から保護する方法や、ＲＡＭ領域に記録する情報を圧縮する方法やアクセスを速くする方法や具体的なトラックの物理フォーマット等に関しては開示されていない。
【０００６】
またメディアを実現するのに重要なメディアを安価に量産する工法や、メディアをＣＤ規格に合致させる方法等々、つまり民生用パーシャルＲＡＭディスクを具体的に実現するための手法は全くといってよいほど従来例には開示されていなかった。従って、従来開示されている方法では、民生用として使用できるメディアとシステムを具体的に実用化することが難しいという大きな問題点があった。
【０００７】
本発明ではＣＤ−ＲＯＭのようにカートリッジなしで用いるＲＯＭディスク型のパーシャルＲＡＭディスク及びシステムを上記の項目について具体的に実現した記録再生装置と媒体を提供することを目的とする。
【０００８】
次に不正複製防止方式に関して、本発明では、従来提案されているような特殊な工法を用いずに、アドレスの物理配置を替える等の方法により複製防止デイスクと装置を実現することを第二の目的とする。
【０００９】
【課題を解決するための手段】
この目的を達成するため、本発明の記録再生装置は透明基盤と光記録層からなる記録媒体上に光源から光を光ヘッドにより、透明基板側から上記光記録層に結像させ、信号の記録もしくは再生を行う記録再生装置において、上記媒体上に記録されたアドレス情報の位置もしくはピット深さ等を検出する位置検出手段と暗号の復号手段と照合部を有している。
【００１０】
この構成によって、記録媒体に記録された物理配置情報と位置検出手段により、媒体の物理位置情報を照合部により照合することにより不正複製ディスクを検出することができる。
【００１１】
【発明の実施の形態】
（実施例１）
実施例１で不正に複製されたＣＤ，ＣＤＲＯＭやＣＤ−ＲＯＭから正規の数以上のパソコンに不正にプログラムをコピーすることを防止する方法について述べる。まず前述した各々にＰａｓｓｗｏｒｄ等の鍵のついた多数のプログラムの記録されたＣＤＲＯＭ等の光ディスクの特定のプログラムの鍵を解除する方法について詳しく述べる。図５９に示すように、このＣＤは本発明のディスクコピー防止方式が採用されているため、ＣＤの複製はできない。更にＣＤの光学マーク部３８７にはディスク毎に異なるＩＤＮｏ．が記録されている。これを発光部３８６ａと受光部３８６ｂからなる光センサー３８６で例えば”２０４３１２００１”なるデータを読みとりＣＰＵのメモリーの中の鍵管理テーブル４０４のＤｉｓｋ  ＩＤＮｏ．（ＯＰＴ）に入れる。通常はこの方法で良いが光学マークは不正な複製業者により、印刷機に複製される可能性がある。さらに複製防止効果を高めるには、前述のようにバリウムフェライトによる４０００Ｏｅ等の非常に高いＨｃの高Ｈｃ部４０１を設け、工場で磁気用のＩＤＮｏ．（Ｍａｇ）データ”２０５１６２”を磁気記録する。このデータの再生は通常の磁気ヘッドで可能であるため再生でき、鍵管理テーブル４０４のＤｉｓｋ  ＩＤＮｏ．（Ｍａｇ）の項目に入れられる。
【００１２】
図８（ａ）のＩＤ番号の工程図に示すように、図９に示す着磁機５４０を用いることにより、媒体２にＩＤ番号を記録する工程が１秒以下に収まる。この着磁機５４０は、図９（ａ）（ｂ）のようにリング形状で図９（ｃ）（ｄ）に示すように複数の着磁極５４２ａ〜ｆをもち、各々コイル５４５ａ〜ｆが巻かれている。着磁電流発生器５４３からの電流は、電流方向切換器５４４により、任意の電流がコイル５４５ａ〜ｆに流れるため、任意の磁化方向が得られる。
【００１３】
図９（ｄ）では左からＳ，Ｎ，Ｓ，Ｓ，Ｎ，Ｓ極の着磁方向を設定した場合を示している。この場合磁気記録層３は矢印５１ａ，５１ｂ，５１ｃ，５１ｄの方向の磁気記録信号が一瞬のうちに記録される。４０００Ｏｅの高Ｈｃの磁性材料でも記録できる。従って、図８（ａ）に示すように従来の工程図８（ｂ）に比べて、同じ時間でＩＤを記録したＣＤを生産できる。
【００１４】
磁気ヘッドを使って媒体２を回転させながらＩＤ番号を磁気記録する方法であると、媒体回転立ち上がりと数回転の回転、回転の停止を含めると数秒かかる。従って、１秒程度のプロセス時間しか許されないＣＤの大量生産の工程に工程の流れを変えないで導入することは難しいという課題があった。
【００１５】
図８（ａ）のＩＤ番号の工程図に示すように、図９に示す着磁機５４０を用いることにより、媒体２にＩＤ番号を記録する工程が１秒以下に収まるため、スループットの速い工程には、より適している。この着磁機５４０の記録動作を説明すると、図９（ａ）（ｂ）のようにリング形状で図９（ｃ）（ｄ）に示すように複数の着磁極５４２ａ〜ｆをもち、各々コイル５４５ａ〜ｆが巻かれている。着磁電流発生器５４３からの電流は、電流方向切換器５４４により、任意の電流がコイル５４５ａ〜ｆに流れるため、任意の磁化方向が得られる。図９（ｄ）では左からＳ，Ｎ，Ｓ，Ｓ，Ｎ，Ｓ極の着磁方向を設定した場合を示している。この場合磁気記録層３は矢印５１ａ，５１ｂ，５１ｃ，５１ｄの方向の磁気記録信号が特定トラック上に一瞬のうちに例えば数ｍｓで記録される。着磁機の場合、大電流を流すことができるため４０００Ｏｅの高Ｈｃの磁性材料でも記録できる。従って、図８（ａ）に示すように図８（ｂ）の従来の工程図の他の工程と同じ程度の作業時間でＩＤを記録できるため、工程の流れを全く変えないでＣＤを生産できる。しかも、着磁機５４０を用いた場合は媒体２を回転させずにＩＤ番号を磁気記録できるため、工程のスルプットを短縮できる上に、媒体を回転させないため、図８（ａ）の工程図に示すようにＩＤ番号記録後に印刷工程で印刷をしても、所定の角度に正確に印刷できるという効果がある。
【００１６】
現在Ｈｃが２７００Ｏｅ程度の磁気記録層に記録できる磁気ヘッドは市販されている。このためＨｃが低いとＩＤ番号が改ざんされるという課題が想定できる。この課題に対して本発明の着磁機５４０は強力な磁界を発生するため、Ｈｃ＝４０００Ｏｅのような高いＨｃをもつ磁気記録層３でもＩＤ番号を記録できる。高いＨｃの磁気記録層３を特定トラックに使用してＩＤ番号を記録した場合、この媒体のＩＤ番号は通常入手できる磁気ヘッド８では書き換え、つまり改ざんできないため、媒体のＩＤ番号に関連したパスワードのセキュリティを向上できるという効果がある。
【００１７】
さらに本発明では図１０に示すように、ディスクの物理配置テーブル５３２のデータとユニークなＩＤ番号の発生器５４６の信号を混合器５４７により、分離キーがないと分離しにくいように混合し、混合信号を分離キー５４８とともに暗号化器５３７に送り、暗号５３８にし、成形工程後に磁気記録トラック６７に記録するか、原盤作成工程で光記録トラック６５に記録する。記録再生装置１側では暗号デコーダ５４３により暗号を解読し、分離キーにより分離器５４９において分離キーによりＩＤ番号５５０とディスクの物理配置テーブル５３２を分離し、図５、図７で説明したような不正ディスクチェック方式により、不正ディスクをチェックし、不正ディスクの動作を停止させる。
【００１８】
図１０の方式の場合、磁気記録トラック６７に記録される暗号５３８は、ユニークなＩＤ番号発生器５４６により、ＩＤ番号とディスク物理配置表との混合信号が暗号化されるため、一枚一枚のディスク毎に全て異なる。当然のことながらこのディスクは本発明の不正複製防止方式を用いているため、不正複製業者はＣＤの光記録部を不正複製できない。このため不正使用者はＩＤ番号を改ざんすることしか不正使用の道はない。パスワードの判明しているディスクと全く同一の原盤のディスクをみつけてきて、同じ暗号を磁気記録部に記録することによりこのパスワードを用いることにより不正使用ができる。ディスク物理配置表の暗号とＩＤ番号の暗号を分離して記録すると、同一原盤の全てのディスクの磁気記録層に同じ物理配置表の暗号が記録され、この暗号を読むことにより、同一原盤のディスクであることが容易に識別されてしまうため、ＩＤ番号の暗号をパスワードのわかっているＩＤ番号の暗号とに書き換えることにより、不正使用されてしまうという課題が考えられる。しかし、図１０の方式は一枚のデイスクに対して複数の異なる原盤が存在し、しかも一枚一枚ディスク毎に暗号が全く違うため、２枚のディスクが同じ原盤であることを暗号を見ただけでは確認できない。
【００１９】
まず、第１暗号から同じ原盤から作成されたディスクを探し出すことを困難にする原理を述べる。原盤の第１物理特徴情報は数多く検出できるが、ディスク２に記録できる容量には限界がある。又、大容量の第１物理特徴情報を記録しても暗号復号には処理時間を要する。解読時間に許容できる時間は、１秒程度であるから、第１暗号のデータ量は限定される。このことから現実的には得られる第１物理特徴情報から一部の情報を選択し、各ディスクの第１物理特徴情報を得ることになる。つまり、第１物理特徴情報は数多くの選択値の中から１つを選択すればよい。本説明ではこの選択値を図１０の物理情報選択手段５３２ａにより、ディスク毎に変えている。このことにより、同じ原盤から作成されたディスクでも、本発明ではディスク毎に第１物理特徴情報が異なり、当然第１暗号も異なる。
【００２０】
上述のように、１つのソフトに対して、通常いくつかの原盤が作成されて、各原盤の第１物理特徴情報が異なる。以上から、第１暗号が同じディスクが存在する確率が極めて低くなるため、第一暗号のデータを入手するだけでは同じ原盤から作成されたディスクを探し出すことが、できなくなる。探し出すには、実際に多くのディスクの物理特徴情報を測定する必要がある。このことから、一般ユーザーレベルでは同一原盤のディスクを探し出すことが困難になる。
【００２１】
次に、本発明では、図１０に説明したようにディスク毎に異なるＩＤと第１物理特徴情報を一括して暗号化してある。このため、解読パスワードのわかっているディスクを入手し、この第１暗号を別のディスクの第１暗号を置き換えても第１物理特徴情報つまり、原盤が同じでないと海賊版防止プログラムにより動作停止するため、全く動作しない。図１０の方法では、同じ原盤から作成されたディスクを見つけることが困難であるため、一般ユーザでは実質的にＩＤの改ざんそのものができなくなり、一般ユーザーの不正使用を防止できる。
【００２２】
ディスクのディスク物理配置表５３２の情報を一枚分全部の領域にわたって読みとり、同一原盤かどうかをチェックするしかない。アドレス、角度、トラッキング、ピット深さ、エラーレートの全データをチェックするには大規模な装置が必要であり、確認時間も必要である。従って、不正複製業者がパスワードのわかっているＣＤ等のディスクと同じ原盤のディスクを探し出すことが難しくなるため、不正複製業者がＩＤ番号を改ざんすることが困難になるという効果がある。
【００２３】
ここで具体的な手順を図８０のフローチャート図を用いて説明する。ステップ４０５でプログラムＮｏ．Ｎの起動命令がきた場合ステップ４０５ａでプログラムの鍵情報が磁気トラックに記録されているか読みにいく。この時、磁気ヘッドで記録電流を流し、このデータの消去を実行する。正規のディスクならＨｃが高いため鍵情報は消せない。不正なディスクならＨｃが低いため鍵情報は消えてしまう。次にステップ４０５ｂで鍵データつまりＰａｓｓｗｏｒｄがあるかチェックし、Ｎｏならステップ４０５ｃで図８１の画面図に示すように鍵の入力命令を使用者に伝え、ステップ４０５ｄで使用者が例えば“１２３４５６”と入力し、ステップ４０５ｅで正しいかチェックし、“Ｎｏ”ならステップ４０５ｆで停止し、画面に“鍵が正しくないか複製ディスクです”と表示し、Ｙｅｓならステップ４０５ｇへ進み、プログラムＮｏ．Ｎを開ける鍵データを記録媒体２の磁気トラックへ記録し、ステップ４０５ｉへとぶ。
【００２４】
ステップ４０５ｂに戻り、Ｙｅｓならステップ４０５ｈでプログラムＮｏ．Ｎの鍵データを読み、ステップ４０５ｉで光記録層のディスクＩＤ（ＯＰＴ）を読み込み、ステップ４０５ｊで磁気記録層に記録されているディスクＩＤ（Ｍａｇ）を読み込み、ステップ４０５ｋで正しいかチェックする。Ｎｏの時はステップ４０５ｍで“複製ディスクです”と表示し停止する。Ｙｅｓならステップ４０５ｎで鍵データとディスクＩＤ（ＯＰＴ）とディスクＩＤ（Ｍａｇ）の暗号解除演算をして正しいデータかをチェックする。ステップ４０５ｐでチェックし、Ｎｏならステップ４０５ｑでエラー表示をし、Ｙｅｓならステップ４０５ｓでプログラムＮｏ．Ｎの使用を開始させる。
【００２５】
本発明のこの方式をを用いた場合、ＣＤなら１／５に音声圧縮した曲を１２０曲入れて、ゲームソフトなら数百タイトル入れてＣＤを１２曲もしくは１ゲームだけ最初に聴けるようにしておくと、１２曲分もしくは１ゲーム分の著作権料に見合った価格で販売できる。そして、後で使用者が料金を支払うことにより、ソフト業者はディスクのＩＤＮｏ．に対応する鍵を通知することにより、図５９に示すように追加の曲もしくは追加のゲーム等のソフトを使用できるようになる。この場合、音声伸長ブロック４０７の採用により、ＣＤの場合５倍の３７０分入るため最大１２０曲の音楽ソフトを１枚のＣＤに納めることができ、この中から鍵の解除により好きな曲を聴くことができる。鍵を一回解除すれば鍵データは記録されるため、鍵を毎回入れる必要がなくなるという効果がある。音楽ＣＤやゲームＣＤ以外にも電子辞書やフォトＣＤ一般プログラムに用いても同様の効果がある。またコストを下げるため高Ｈｃ部４０１のＩＤＮｏ．を省略してもよい。
【００２６】
次にＣＤ自体の複製を防止する方法について述べる。ＣＤは現在、様々な形で不正に複製されており、複製を防止する方法が求められている。暗号化等のソフウェアだけでは、不正複製は防止できない。本発明ではＣＤのピット配列と暗号方式を利用して複製防止する方法を述べる。
【００２７】
図１のマスタリング装置のブロック図に示すようにＣＤ等のＣＬＶ型光ディスクの原盤を作成するマスタリング装置５２９は、線速度制御部２６ａをもち、ＣＤの場合、１．２ｍ／ｓから１．４ｍ／ｓの範囲内に線速度を保ちながら光ヘッド６により、ディスク２上の感光体に光ビームでピットの潜像を露光により記録する。ＣＤの場合、トラッキング回路２４により、１回転につき、約１．６μｍのピッチで半径ｒを増加させていくため、ピットはスパイラル状に記録されていく。こうして図３（ａ）に示すようにデータは原盤上にスパイラル上に記録される。ＶｉｄｅｏｄｉｓｋのようなＣＡＶの光ディスクの場合、オリジナルディスクを再生し、この回転と回転制御を完全に連動して、原盤を作成することができる。従って、第三者がマスターデータ５２８を入手した場合、正規に製造されたＣＡＶの光ディスクと全く同じピットパターンをもつ光ディスクの原盤をマスタリング装置５２９により容易に作成できる。ＣＡＶの場合、正規に製造された原盤と不法に製造された原盤とのビットパターンの差は数μｍ以内に収められる。このため、従来の方法で正規に作成された不正に作成された光ディスクとをピットパターンの物理的配置から区別することはできない。
【００２８】
一方、ＣＤ−ＲＯＭのようにＣＬＶの光ディスクの場合、１．２〜１．４ｍ／ｓの範囲内の初めに設定した一定線速度でスパイラル上に原盤上に記録する。ＣＡＶの場合は一周に記録させるデータ数は常に一定であるがＣＬＶの場合は、線速を変えることにより、一周のデータ数は変化する。線速の遅い場合は、図３（ａ）のようなデータ配置５３０ａになるし、線速の速い場合は図３（ｂ）のようなデータ配置５３０ｂになる。このように通常のマスタリング装置では正規のＣＤと不正にコピーされたＣＤでは、データ配置５３０が異なることがわかる。通常市販されているＣＤ用のマスタリング装置では０．００１ｍ／ｓの高い精度で線速の設定ができる。そして一定の線速度で原盤を作成するが、この高い精度で、１．２ｍ／ｓの線速で７４分のＣＤの原盤を作成した場合でも、最外周トラックでプラス側に誤差がずれた場合１１．７８３周分の誤差ができる。つまり、理想原盤に比べて最外周で１１．７８３周×３６０度の角度誤差のあるデータ配置５３０ｂをもつ原盤ができる。従って図３（ａ）と図３（ｂ）のようにデータ配置５３０すなわち各々のＡ１〜Ａ２６のアドレス３２３ａ〜ｘが正規のＣＤと不正複製のＣＤでは異なる。例えば４分割し、Ｚ１〜Ｚ４の配置ゾーン５３１を定義した場合、Ａ１〜Ａ２６のアドレス３２３の配置ゾーン５３１が異なる。従って、２つのＣＤの配置ゾーン５３１とアドレス３２３の対応テーブルすなわち物理位置テーブル５３２を作成した場合、図３（ａ）と図３（ｂ）に示すように、各々の物理位置テーブル５３２ａと５３２とが正規のＣＤと不正複製されたＣＤでは異なることがわかる。この違いを利用して不正複製ＣＤと正規なＣＤを弁別できる。
【００２９】
ただ、単に物理的に複製しにくいＣＤを作っても、正規なＣＤを正規であると照合する方法が改ざんされ易いと効果が薄い。図５に示すように本発明ではこの物理位置テーブル５３２をＣＤの原盤製作中もしくは原盤製作完了後に、作成する。この物理配置テーブル５３２をＲＳＡ方式の公開暗号鍵方式等の一方向性関数を用いて暗号化手段５３７により暗号化して、ＣＤ媒体２の光ＲＯＭ部６５もしくはＣＤ媒体２ａの磁気記録トラック６７に記録する。
【００３０】
次にドライブ側ではＣＤ媒体２もしくは２ａから暗号信号５３８ｂを再生し、ＣＤの光記録部から再生した暗号解読プログラム５３４を用いて、物理配置テーブル５３２を復元する。同じくＣＤから再生したディスクチェックプログラム５３３ａを用いて現実のＣＤのアドレス３８ａに対するディスク回転角情報３３５を前述のＦＧからの回転パルス信号もしくはインデックスより得て、物理配置テーブル５３２のデータと照合し、ＯＫであればＳＴＡＲＴし、ＮＯであれば不正複製ＣＤであると判別して、ソフトプログラムの動作や音楽ソフトの再生を停止させる。図３（ｂ）に示す不正コピーのＣＤでは物理位置テーブル５３２ｂが正規のものと異なるため、リジェクトされる。暗号エンコードプログラム５３７が解読できない限り不正複製されたＣＤは動作しない。従って暗号信号をコピーしてもリジェクトされる。こうしてほぼ完全に不正コピーＣＤの再生は防止できるという大きな効果がある。
【００３１】
不正複製業者が、本発明のＣＤドライブに対して対策をとれるとしたら、次の３つが考えられる。
【００３２】
１．全く同じピットパターンのＣＬＶディスクの原盤をつくる。２．図５のｓｅｃｒｅｆｋｅｙの暗号エンコードプログラムを暗号デコードプログラム５３４より解読する。３．ＣＤ−ＲＯＭの中の全プログラムを分析し、暗号デコードプログラム５３４やディスクチェックプログラム５３３ａをプログラム改造により入れ替える。以上のうちまず３番目の方法は、プログラム解読およびプログラム改造に時間つまり、高額のコストがかかるためＣＤ複製による利益が少なくなるため意味がない。また、本発明の場合、暗号デコードプログラム５３４やディスクチェックプログラム５３３ａをドライブ側ではなく、メディア側にもたせているため、ＣＤ−ＲＯＭのタイトルやプレス毎に変更できる。従って、プログラム解読や暗号解読の投資が毎タイトル必要なため不正複製業者の採算を悪化させ、経済的に複製を防止させる効果がある。
【００３３】
次に、２番目の方法は、本発明では図５に示すようなＲＳＡ方式等の公開暗号鍵方式のような一方向性関数を用いている。例えば、演算式Ｃ＝Ｅ（Ｍ）＝Ｍｅｍｏｄｎを用いることができる。このため、ＣＤ−ＲＯＭ上に暗号デコードプログラムつまり鍵の一方が公開されていても、もう一方の鍵の暗号エンコードプログラム５３７の解読には例えば１０億年かかるため解読されることはない。ただ、暗号エンコードプログラム５３７の情報が流出する可能性もある。しかし、図５の方法では、ドライブ側ではなくメディア側に暗号デコードプログラム５３４がある。従って、万が一流出したとしても流出した時点で、暗号プログラム一対を両方とも変更することにより、容易に再び複製防止を回復できるという効果がある。
【００３４】
最後に、１番目の方法の全く同じピットパターンのＣＬＶ原盤を作ることは、現状のＣＬＶ用のマスタリング装置５２９では１回転に１パルスの回転信号は出るが回転角を高精度で検知し、制御する機構がついていないため、難しい。しかし、複製元のＣＤの回転角情報と記録信号を読みとり、複製時に回転パルスに同期をかけることにより、正確ではないが、ある程度の位置精度で似たピットパターンを描画することができる。しかし、これは複製元のＣＤが同じ線速度で記録されている場合のみ成立する。
【００３５】
本発明のマスタリング装置５２９では図１に示すようにＣＬＶ変調信号発生部１０ａ〜ＣＬＶ変調信号を発生させ、ある場合は線速度変調部２６ａに送り、ある場合は光記録回路３７の時間軸変調部３７ａに送りＣＬＶ変調をかける。線速度変調部２６ａを持ち、図２（ａ）のように線速度をＣＤ規格の範囲内の１．２ｍ／ｓから１．４ｍ／ｓで変調をランダムにかけている。このことは線速度を一定にして時間軸変調部３７ａにより信号に変調をかけても同じことが実現する。この場合装置の改造は不要となる。この線速度変調を複製元のＣＤから高精度で検出することは困難である。ランダムに制御をかけずに記録しているため原盤を作ったマスタリング装置でも複製はできない。毎回違った原盤となる。従って、本発明の線速度変調の入ったＣＤを完全に複製することは不可能に近い。しかし、ＣＤの線速度の１．２〜１．４ｍ／ｓの規格範囲であるため、現在市販されている通常のＣＤ−ＲＯＭプレーヤーでは正常にデータは再生される。
【００３６】
次に図２（ｂ）のように同一データを一定の１．２ｍ／ａの線速度で特定の光トラック６５ａを記録した場合の始点をＳとするとデータを記録し終えた終点Ａ１は３６０゜の位置にくる場合を想定してみる。この場合図２（ｃ）に示すように、１回転で１．２ｍ／ｓから１．４ｍ／ｓまで均一に増速した場合、アドレスＡ３の物理位置５３９ａは３０゜ずれた物理位置５３９ｂにくる。そして１／２回転で増速した場合４５゜ずれた物理位置５３９ｃの位置にくる。つまり、１周で最大４５゜位置を変えることができる。通常のＣＬＶ用のマスタリング装置は１周に１回しか回転パルスを発生しないため、２回転するまでこの誤差は累積され９０゜の位置ずれが発生する。将来、不正コピー業者が回転制御を行なっても本発明の線速度変調により９０゜の位置ずれが正規の原盤と不正コピーの原盤との間で発生する。この位置ずれを検出することにより不正コピーＣＤを検出できる。そして位置ずれの検出分解能は９０度以下にすれば良いことがわかる。従って線速度を１．２〜１．４ｍ／ｓの範囲で変化させる場合は、図３（ａ）（ｂ）に示すように少なくともＺ１，Ｚ２，Ｚ３，Ｚ４の４つの９０゜の分割ゾーンを設定すれば不正ＣＤを検知できる。４分割異常の角度分割が効果があるといえる。
【００３７】
もちろん、極めて高精度のＣＬＶ用のマスタリング装置を新たに開発すれば全く同じビットパターンを不正複製業者が作成することができる。しかし、このような装置は世界で数社しか開発できないし、通常の使用目的には必要ない機能である。著作権保護のためこのようなマスタリング装置の出荷を限定することにより、不正コピーは完全に防止される。
【００３８】
次に図１に示す回転角度センサー１７ａのついたマスタリング装置では入力データのアドレス情報３２ａとモータ１７からの回転角度の位置情報３２ｂにより物理位置テーブル５３２を作成し、暗号エンコーダ５３７により暗号化し、光記録回路３７により原盤２の上の外周部に記録する。このことにより、図５のディスク２の光トラック６５上に暗号化された物理配置テーブル５３２が原盤作成時に記録することができる。従ってこのディスクは磁気ヘッドのついていない通常のＣＤ−ＲＯＭドライブでも再生できる。ただ、この場合は図５，図６に示すようにドライブにディスク回転角センサー３３５を設ける必要がある。この検知手段はアドレス３２３相対位置でかつ、９０゜のゾーンを検知できれば良いため、角度センサーのような複雑なセンサーを必ずしも用いる必要はない。図４にその相対位置検出方法を述べる。例えば図４（ａ）のようにモーターの回転パルスや光センサーのインデックス信号はディスクの一定回転につき１回発生する。この間隔を図４（ｂ）のように時間分割することにより、６分割ゾーンの場合、信号位置タイムスロットＺ１〜Ｚ６が定まる。一方再生信号のサブコードから前述のようにアドレス信号３２３ａ，３２３ｂが得られる。信号位置信号からアドレスＡ１はゾーンＺ１にあり、アドレスＡ２はゾーンＺ３にあることが検出できる。
【００３９】
この場合、サブコードに回転信号もしくはＺｏｎｅ信号を記録すると確かに簡単な構成になるが、このデータもそっくり複製できるため複製防止効果はない。従って本発明のように光記録部以外に回転角を検知する手段を設ける方法が複製防止効果が高い。
【００４０】
図６に戻ると記録再生装置１では信号を光再生回路３８で再生し、光トラックに物理配置テーブル５３２があるならば、図７のフローチャート図のステップ４７１ｂからステップ４７１ｄ，４７１ｅに進む。ステップ４７１ｂがＮｏならステップ４７１ｃで磁気記録部６７に暗号データがあるかをチェックし、Ｎｏならステップ４７１ｒに進み、起動を許可する。Ｙｅｓならステップ４７１ｄ，４７１ｅに進み、暗号データを再生しドライブのＲＯＭもしくはディスクに記録された暗号デコーダ５３４の暗号解読プログラムを起動し、暗号を解読し、ステップ４７１ｆで物理配置テーブル５３２つまりＡｎ：Ｚｎのゾーンアドレス対応表を作成する。ステップ４７１ｗでメディア内にディスクチェックプログラムがあるかチェックし、Ｎｏならステップ４７１ｐに進み、Ｙｅｓならステップ４７１ｇでディスク内に記録されたディスクチェックプログラムを起動する。ステップ４７１ｆのディスクチェックプログラムの中では、まずステップ４７１ｈでｎ＝０とし、ステップ４７１ｉでｎ＝ｎ＋１とし、ステップ４７１ｊでドライブ側でディスク２のアドレスＡｎをサーチさせ再生させる。ステップ４７１ｋで前述のアドレス位置検出手段３３５より位置情報Ｚ’ｎを検知し出力させる。ステップ４７１ｍでＺ’ｎ＝ＺｎをチェックしＮｏならステップ４７１ｕで不正コピーＣＤと判断して“不正コピーＣＤ”の表示を表示部１６に出してステップ４７１ｓでＳＴＯＰさせる。ステップ４７１ｍがＹｅｓなら、ステップ４７１ｎでｎ＝ラストをチェックし、Ｎｏならステップ４７１ｉに戻り、Ｙｅｓならステップ４７１ｐに進む。ステップ４７１ｐではドライブ側のＲＯＭ又はＲＡＭにディスクチェックプログラムがあるかをチェックし、Ｎｏの時はステップ４７１ｒでソフトを起動させる。Ｙｅｓの場合はステップ４７１ｑでディスクチェックプログラムを走らせる。この内容はステップ４７１ｔと全く同じである。Ｎｏの場合はステップ４７１ｕ，４７１ｓに進む。Ｙｅｓの場合はステップ４７１ｒでディスク内のソフトの再生を開始する。
【００４１】
現在、生産されているＣＤプレーヤにおいて、線速度を１．２〜１．４ｍ／ｓの間で変化させたディスクを再生させた場合、問題なく原信号を再生できる。一方、マスタリング装置は０．００１ｍ／ｓ以上のかなり厳密な線速度の精度でカッティングができる。そこで、マスタリング装置用の規格として、線速＝±０．０１ｍ／ｓというＣＤ規格が設けられている。このＣＤ規格を順守した場合は、図１１（ａ）（ｂ）に示すように、例えば１．２０ｍ／ｓから１．２２ｍ／ｓに線速度を上げることが規格内でできる。この場合、図１１（ｃ）（ｄ）に示すように、ディスク一回転につき５．９度の角度分だけ同一アドレスの角度の物理配置が５３９ａから５３９ｂへとシフトする。図１３に示すようにこの５．９度の角度シフトを検出する回転角度センサー３３５を記録再生装置側に設ければこの物理配置の違いを弁別できる。ＣＤの場合、６゜の分解能つまり、一回転１／６０以上に角度分割する回転角度センサー３３５をもてばよい。
【００４２】
この回転角度センサー３５５の構成を図１６の記録再生装置のブロック図に示している。モーター１７のＦＧ等の回転角度センサー１７ａから出るパルスをディスク物理配置検出部５５６の中の角度位置検出部５５３の中の時間分割回路５５３ａにより、時間分割することにより、一回転に１回の回転パルス信号しか得られない場合でも、例えば±５％の時間精度が得られた場合、２０分割できるため１８゜程度の角度分解能が得られる。この動作は図４（ａ）（ｂ）（ｃ）を用いて説明した。ＣＤの場合±２００μｍの偏芯があるため、偏芯による角度の測定誤差が発生する。ＣＤ規格のディスクの場合、Ｐ−Ｐで最大０．８度の角度測定誤差が偏芯により生じる。従って、１゜の角度測定分解能を必要とする場合測定できなくなる。これを避けるため、高精度の角度分解能が必要な場合は、図１６の角度位置検知部５５３に偏芯量検知部５５３ｃを設け、偏芯量を検知し、偏芯量補正部５５３ｂで補正演算を行い、偏芯による影響を補正している。この偏芯量の検知と補正値の演算の方法を述べる。図１９（ａ）に示すように、偏芯が全くない場合、ディスクの同一半径上のＡ，Ｂ，Ｃの３点はθａ＝θｂ＝θｃの時、三角形の中心に真のディスク中心５５７がある。実際には図１９（ｂ）に示すようにディスクの偏芯やディスク装着ずれにより、偏芯５５９が生ずる。図１９（ｂ）に示すように、３点のアドレスＡ，Ｂ，Ｃの相対角度を角度センサー３５３により検出することにより、ディスクの回転中心５５８と真のディスク中心５５７とのずれＬ’ａは図に示すようにＬ’ａ＝ｆ（θａ，θｂ，θｃ）の演算で求めることができる。偏芯補正部５５３ｂで、この演算した偏芯量を用いて、回転角度センサー１７ａの回転角信号を補正演算することにより、偏芯による影響を補正できるので角度分解能が１゜以下の精度に向上するという効果が得られ、不正ディスクの検出精度をより上げられる。
【００４３】
前に述べた６゜程度の低い分解能で、角度位置を検知する場合、不正と正規のディスクとの判別結果には厳密さが要求される。特に正規のディスクが不正と判別されることは正規ユーザーに多大な損害を与えるため、絶対避ける必要がある。このため、図１４のフローチャートのステップ５５１ｔ，５５１ｕ，５５１ｖに示すように不正と判別されたアドレスを２回以上複数回アクセスし再生し、チェックすることにより誤った判別を避けることができる。基本的なフローチャートは図７と同じため省略し、追加ステップのみを説明すると、ステップ５５１ｒで許容値内でないと判別された場合、ステップ５５１ｔでアドレスＡｎを複数回再アクセスして、ステップ５５１ｕでＡｎに対する相対角度を示すゾーン番号Ｚ’ｎを検知し、ステップ５５１ｖで許容値内であるか同じく複数回チェックし、Ｙｅｓなら正規ディスクとみなし、ステップ５５１ｓへ進む。もしＮｏなら不正ディスクとみなし、ステップ４７１ｕ，４７１ｓへ進み、プログラムを動作させない。
【００４４】
また、誤った判定を防ぐもう一つの方法として、統計的処理を追加することにより判別精度が上がる。図１２（ａ）のように正規の原盤では読み出した角度−アドレス、角度−トラッキング方向、アドレス−トラッキング方向、角度−ピット深さ、アドレス−ピット深さの頻度分布はグラフ１のようになる。そこで、グラフ２のように特定データを選別しプレーヤで再生した場合、弁別し易いサンプルアドレスのデータを選別する。そして、図１２（ｂ）に示すように成形したディスクを再生し、グラフ３の黒色で示したように許容値からはずれた信号部をみつけ、グラフ４に示すように許容値からはずれた異常値をリストから削除する。図では角度−アドレス配置の頻度分布を示しているが、ピット深さの分布でもアドレス−トラッキング量の分布でも同じ効果が得られる。こうすると弁別しにくい、つまり誤りと判定され易いコピー防止信号部をリストから排除できるため、再生プレーヤで再生時誤る度合いが少なくなる。前述の２回以上不正と判断されたアドレスを再アクセスすることにより、誤る確率はさらに低下する。
【００４５】
一方、不正に複製された原盤の場合は、図１２（ｃ）に示すように、成形されたディスクのアドレスを読みとり原盤を作成するため、まずグラフ５のように一定の確率である範囲に分布したＣＰ（コピー防止）信号が発生する。この場合、前述のようにディスク物理配置テーブルは改ざんできないためグラフ（２）のようなデータの選別作業はできない。従って不正原盤の物理配置先は許容値限度にかなり迫ったデータ、もしくは許容値を越えたＣＰ信号が存在する。図１２（ｄ）に示すように、このような不正原盤から成形プレスされた光ディスクには、さらに成形バラツキによる誤差が加わり、グラフ６のような分布となり、黒く塗った部分で示すように許容値を越えた物理配置信号５５２ｂが作成される。この不正ディスクに特有な物理配置信号５５２ｂはディスクチェックプログラムにより検出されるため、プログラムの動作は停止し、コピーディスクの使用が防止される。このように角度−アドレスのＣＰ（ＣＯＰＹ  ＰＲＯＴＥＣＴ）信号の時の分布は成形プレスにより、小さい範囲内で分散する。これに対し図１７（ｂ）に示すピット深さの場合は、カッティングと成形条件により、大幅に深さが変化し、これを精密に制御することは極めて難しいため、不正複製ディスクの製造時の分留りは大巾に下がる。従ってピット深さの場合、強力なコピープロテクトをかけられる。
【００４６】
ここで、図１２のディスクの物理配置の頻度分布を検出し、コピー防止をする再生装置と、フローチャートについて述べる。記録再生装置１は図１３と図１６に示すようにディスク物理配置検出部５５６をもち、この中には角度位置検知部５５３とトラッキング変位検知部５５４とピット深さ検知部５５５の３つの検知部があり角度位置情報Ｚ’ｎ、トラッキング変位Ｔ’ｎ、ピット深さＤ’ｎを検知し検知信号を出力する。アドレス検出部５５７の信号Ａ’ｎと時間的な一致を確認することにより、Ａ’ｎ−Ｚ’ｎ，Ａ’ｎ−Ｔ’ｎ，Ａ’ｎ−Ｄ’ｎ，やＺ’ｎ−Ｔ’ｎ，Ｚ’ｎ−Ｄ’ｎ，Ｔ’ｎ−Ｄ’ｎ，の対応データが得られる。このデータを暗号デコーダ５３４により復号された正規の基準ディスク物理配置表５３２のＡｎ，Ｚｎ，Ｔｎ，Ｄｎと照合部５３５において照合することにより、正規のディスクでない場合は出力／動作停止手段５３６により、プログラムの動作を停止できる。
【００４７】
次に統計的手法を用いて、ディスク判別の誤判定を減らすフローチャートを述べる。図１４のフローチャートの図７と同じ部分の説明を省略し、ディスク物理配置データの図１２のグラフ１〜６に示した分布頻度に着目して、ディスクの不正判別をする部分に限定して説明する。まずディスクチェックプログラム４７１ｔの中において、ステップ５５１ｗのＣＰ（ＣＯＰＹ  ＰＲＯＴＥＣＴ）暗号解除プログラムつまり、図１６の暗号デコーダ５３４の中の基準物理配置表５３２の暗号を解くＲＳＡ等の一方向性関数演算部５３４ｃをもつ第一暗号デコーダ５３４ａが不正に変更されているか、つまり不正に改ざんされて不正な暗号デコーダにより不正に暗号が解除されていないか、ディスクチェックプログラムや応用プログラムの随所にチェックポイントを設けて毎回チェックしＹｅｓの場合、動作を中止させる。これにより、不法複製業者が第一暗号デコーダ５３４ａを不正な暗号デコーダと入れ替えることを防止できるため、暗号の安全度が高まり、複製防止を強化できるという効果がある。次にステップ５５１ｆの説明をすると、このステップでは角度位置の場合、特定アドレスの位置を測定し、ゾーン番号の基準物理配置表５３２の基準角に対するずれ量の分布状態を測定する。ｍ＝０をずれのない場合、ｍ＝±ｎをｎ個ゾーンがずれた場合と定義すると、ステップ５５１ｇにおいてｍ＝−１としステップ５５１ｈでｍ＝ｍ＋１とし、ステップ５５１ｉで測定した角度ゾーンＺ’ｎがｍヶずれているかチェックし、Ｎｏならステップ５５１ｈに戻り、Ｙｅｓならステップ５５１ｊでＺ’ｎのずれの分布リストに追加し、次々とずれ量の分布表を作成してゆく。ステップ５５１ｋで最後なら次のステップ４７１ｎに進み、Ｎｏならステップ５５１ｈへ戻る。こうして図１６に示す特定アドレスの角度位置もしくは、トラッキング変位、ピット深さと角度／アドレス位置との基準とのずれの分布状態が測定されていく。
【００４８】
ディスクチェックプログラム４７１ｔの中のステップ５５１ｍは、正当性判別プログラムで、ステップ５５１ｎで磁気層又は光記録層に暗号化されて記録された例えばアドレスｎの角度配置Ｚ’ｎの基準値よりのずれ量ｍに対する最大許容値Ｐｎ（ｍ）を暗号復号化して読み出し、今述べたステップ５５１ｆの物理位置のずれの分布測定プログラムで作成した図１８に示すずれ分布表５５６ａと基準の物理配置表５３２ａをチェックしディスクの真偽を判定する。まず、ステップ５５１ｐでｍ＝０、ステップ５５１ｑでｍ＝ｍ＋１とし、ステップ５５１ｒで許容値の範囲内かをチェックする。Ｚ’ｎの数が図１８のＰｎ（ｍ）より小さいかを見ることにより許容値の範囲内かをチェックする。Ｎｏなら上述のステップ５５１ｆに進み、再度該当アドレスをアクセスし、ダメなら不正と判断し、ＯＫならステップ５５１ｓへ進む。ステップ５５１ｒがＹｅｓならステップ５５１ｓへ進む。ｍがラストならステップ４７１ｐへ進み、Ｎｏならステップ５５１ｑへ戻る。こうしてＺ’ｎのＺｎに対するずれの分布を測定することにより、許容値以内なら正規ディスク、許容値の範囲外なら不正ディスクと判別する統計的処理をする。このことにより、より正規ディスクを不正ディスクと誤判断する確率及びその逆の確率が低くなるという効果がある。
【００４９】
またこの図１４のフローチャートでは、ステップ５５１ａにおいて図１６に示すような乱数発生器５８３のようなランダム抽出器５８２により、暗号デコーダ５３４や磁気再生回路３０に部分的選択信号を送り、暗号の記録されている全トラックの一部の磁気トラックもしくは光トラックを選択しアクセスし再生させている。このことにより、暗号データの全数のうち１部、例えば１万個のうち１００ヶ程度、アクセスすれば良いため機械的アクセス時間が短縮され複製チェック時間が短くなるという効果がある。またランダム抽出器５８２は暗号デコーダ５３４に選択信号を送り、再生された暗号データの一部のデータの暗号解除を行う。例えば５１２ｂｉｔの一方向性関数の暗号の場合、暗号解除には３２ビットのマイコンでも、数分の１秒要する。しかし、この部分選択方式の採用により、暗号解読時間を短縮できるという効果がある。乱数発生器５８４により、毎回最低必要なサンプル量だけ、毎回異なるサンプルデータをディスクチェックするため、例えば１００００点のサンプル点のうち毎回１００ヶのサンプル点しかチェックしないシステムにおいても、最終的には１００００ヶのサンプル点をチェックすることになる。従って、複製業者は１００００ヶサンプル点全部の物理配置を基準ディスクと全く同じ形状に複製する必要がある。全てのサンプルポイントの角度、トラッキング量、ピット深さを複製することは困難なため複製防止効果は高い。このランダム抽出器５８２の追加により、高い複製防止効果を落とさずにディスクチェック時間の大幅な短縮が実現する。
【００５０】
さて、ここで図１３と図１６の記録再生装置の図に戻り説明する。図１６の記録再生装置１のディスク物理配置検出部には、上述した角度位置検知部５５３以外にトラッキング量検知部５５４とピット深さ検知部５５５の２つの検知部がある。まず、トラッキング量検知部５５４は、光ヘッド６のトラッキング制御部２４のウォブリング等を測定できるトラッキングエラー検出回路のようなトラッキング量センサー２４ａからのアドレスｎのトラッキング量Ｔｎを受けて、トラッキング量と他のＡ’ｎ，Ｚ’ｎ，Ｄ’ｎ等の他の検知信号との時間的一致を測定して、Ｔ’ｎとして照合部５３５へ出力する。この原理を図２０（ａ）（ｂ）を用いて説明すると、図２０（ａ）の正規ディスクでアドレスＡ１の物理位置５３９ａは、原盤作成時にウォブリング等のトラッキング方向の変調を加えてある。このため外周方向にトラッキングがずれている。これをＴ１＝＋１と定義すると、アドレスＡ２の物理位置５３９ｂではＴ２＝−１となる。この情報は原盤作成時もしくは原盤作成後に判別できるため、基準物理配置表５３２が作成され、暗号化されて媒体２に記録される。
【００５１】
次に図２０（ｂ）に示す不正複製された媒体２では、通常トラッキング変位が追加されてない。もし、トラッキング変位が追加されていても、図に示すように同じ角度ゾーンＺ１におけるアドレスＡ１，Ａ２のトラッキング変位Ｔ’１，Ｔ’２は各々例えばＯ１＋１となり、測定したディスク物理配置表５５６は正規ディスクの基準物理配置表５３２と異なる。このため、図１６のディスクチェック部５３３の照合部５３５によって検出され、出力／動作停止手段５３６によりプログラムの出力、もしくはプログラムの動作、もしくは第２暗号デコーダ５３４ｂによる応用プログラムの暗号解読が停止し、“不正コピーディスク”を示す表示が表示部１６に出力される。図１６の場合、ディスクチェックプログラム自体が第２暗号デコーダ５３４ｂにより暗号化されているため、ディスクチェックプログラム５３３の改ざんが困難となり、不正複製防止効果を上げられる。
【００５２】
次にピット深さ検知部について説明する。図１６に示すように、光ヘッド６からの光再生信号はピット深さ検知部５５５のエンベロープ等の振巾もしくは変調度の変動、もしくは多値レベルスライサー等の振巾量検知部５５５ａに送られ、振巾変化によりピット深さを検知し、検知出力Ｄ’ｎを照合部５３５に送り基準物理配置表５３２のデータと照合する。異なる場合はコピー防止動作に入る。こうして図２１（ａ）（ｂ）（ｃ）（ｄ）に示すようにアドレスＡｎ、角度Ｚｎ、トラッキング変位量Ｔｎ、ピット深さＤｎの４つのチェックパラメータが１つのサンプル点の物理配置５３９ａ，５３９ｂ，５３９ｃに対して各々チェックできるため、全てのサンプルポイントで４つのパラメーターの条件が一致した原盤を複製する必要がある。このような条件を満たす原盤を分留まりよく複製することは難しい。従って強力なコピー防止が実現する。特に巾を変えた上でピット深さの揃ったピット群を複製する事は極めて難しく分留まりが悪くなるため経済的に成立しなくなる。本発明の場合、図３６に示すようにステップ５８４ａで、例えば１０００組のピット群を同一原盤上で、記録出力、パルス巾等の１０００組の異なる記録条件で記録すると、ステップ５８４ｂである一定の分留り、例えば１／２００の分留りなら５組の条件に合格したピット群ができる。ステップ５６４ｃでこの合格したピット群の物理配置等を原盤上をレーザー光でモニターすることによりみつけ出す。ステップ５８４ｄで合格ピット群の物理配置表を作成し、ステップ５８４ｅで物理配置表の暗号化し、ステップ５８４ｆで光記録部ならステップ５８４ｇで原盤の第２感光部５７２ａにこの暗号を記録する。ステップ５８４ｈで原盤にプラスチックを注入し、光ディスクを形成し、ステップ５８４ｉで反射膜を形成し、ステップ５８４ｊで磁気層がないなら完成し、あるなら、ステップ５８４ｋで磁気記録部を作成し、ステップ５８４ｍで磁気記録部に暗号を記録し、光ディスクは完成する。原盤作成後にピット深さを測定して、暗号化して配置表を記録するため、原盤を作成する時の分留まりは１００％近くまで高めることができる。
【００５３】
ここで、ピット深さ検知部５５５におけるピット深さの検知法について述べる。図１７（ａ）の不正複製ディスクのピット５６１ａ〜ｆは、同じピット深さである。図１７（ｂ）の正規のディスクのピットのうち、ピット５６０ｃ，ｄ，ｅはピットが浅い。従って、図１７（ｃ）のように再生パルス５６２ｃ，ｄ，ｅはピーク値が低くなり、多レベルスライサ５５５ｂの基準スライスレベルＳ０では、図１７（ｆ）のように出力ができるが、検出用スライスレベルＳ１では、図１７（ｄ）のように出力が出ない。従って、Ｓ１の逆値とＳ０の論理積をとることにより、図１７（ｇ）のように正規ディスクの場合のみ、複製防止信号５６３ｃ，５６３ｄ，５６３ｅが得られる。不正ディスクでは、検出用スライスレベルＳ１の出力が連続して１になるため、複製防止信号は出力されない。従って、複製ディスクが検出できる。なおこの場合、図１７（ｅ）のように光出力波形のエンベロープの振巾低下もしくは変調率の低下を振巾量検知部５５５ａにより検知して、Ｓ１の逆符号を得ても同様の効果が得られる。
【００５４】
図２３の複製防止効果の比較表から明かなように通常のＣＤやＭＤの原盤作成装置では角度制御機能をもたないため角度方向のディスクチェックつまりＡが有効である。一方、レーザーディスク（ＬＤ）用やＭＤ用やＣＤ用のＲＯＭ用の原盤作成装置はウォブリングつまりトラッキング方向の制御手段がないため、トラッキング方向の変位つまりＢが有効である。一方深さ方向つまりＣは、従来の回路に加えて振巾もしくは変調度の検出回路が入力回路に必要なため、既存のＣＤ用のＩＣでは検出できない。従って、現時点ではＡ＋Ｂがコピー防止効果が高いとともに既存のＩＣとの互換性があるため、ＣＤ，ＭＤに最も効果の高い組み合わせである。現状の原盤作成装置ではＡ＋Ｂつまり角度方向とトラッキング方向の２つのパラメータをの組み合わせたチェック方式が最も効果が高いことが解る。
【００５５】
この角度方向とトラック方向とピット深さ方向に変調を加えたディスクの原盤作成装置を図２４に示す。図２４のマスタリング装置５２９は基本的には既に説明した図１のマスタリング装置とほぼ同じ構成と動作であるため、説明を省略し、違う部分のみを述べる。まず、トラッキング変調方式について述べる。システム制御部に、トラッキング変調信号発生部５６４があり、トラッキング制御部２４に変調信号を送り、基準トラックピッチ２４ａに基づく、ほぼ一定半径ｒ０のトラッキングを行なう。このトラックの半径のｒ０±ｄｒの範囲内で、ウォブリング等の変調をかける。このため原盤５７２上には図２０（ａ）（ｂ）のような蛇行したトラックが作成される。このトラッキング変位量は、位置情報入力部３２ｂのトラッキング変位情報部３２ｇに送られる。コピー防止信号発生部５６５において、図１３で説明したアドレスＡｎと角度Ｚｎとトラッキング変位量Ｔｎとピット深さＤｎが表になつた基準物理配置表５３２が作成され、暗号エンコーダー５３７で暗号に暗号化される。この暗号は図３２、図３３に示すような原盤の外周部に設けた第２原盤５７２ａもしくは図３４，図３５に示すような外周部に設けた第２領域の原盤に記録される。又、ピット深さ方向の変調Ｄｎも独立して加えることができる。図２４のシステム制御部１０には光出力変調信号発生部５６６があり、光記録部３７ｂの出力変調部５６７のレーザー出力の振巾を図３０（ｂ）のように変化させるか、図３０（ａ）のように一定振巾でパルス巾もしくはパルス間隔をパルス巾変調部５６８により変調することにより、レーザー出力の実効値を変化させることができる。すると図３０（ｃ）のように原盤５７２の感光部５７３には深さの違う感光部５７４が形成される。エッチング工程を経ることにより、図３０（ｄ）のように深さの異なるピット５６０ａ〜５６０ｅが形成され、λ／４近くの深さの深いピット５６０ａ，５６０ｃ，５６０ｄと例えばλ／６近くの深さの浅いピット５６０ｂ，５６０ｅのピットが形成される。この原盤５７２にニッケル等の金属メッキを施すことにより、図３０（ｅ）に示すような金属原盤５７５ができ、プラスチック成形することにより、成形ディスク５７６ができる。このようにレーザ出力の振巾を変えて、原盤にピットを形成する場合、図３１の波形（５）の波形図に示すように再生出力のピーク値が減るため、レベルスライサーで特定のスライスレベルでスライスした場合、ピット深さの深いピットに比べて、パルス巾が狭く検知されてしまい、正常なデジタル出力が得られない。このため図３１の波形（１）の図に示すような同期Ｔの原信号に対してパルス巾調整部５６９により、波形（２）の図に示すようにＴ＋△Ｔの巾の広いパルスを発生することにより波形（６）の図のようにデジタル信号が補正される。もし補正しなければ、波形（７）の図のように原信号より巾の狭いスライスされたデジタル出力が得られ、誤ったデジタル信号が出力される。
【００５６】
こうして光出力変調部５６７によりピット深さが変調され、ピット深さ情報Ｄｎは光出力変調信号発生部５６６からピット深さ情報部３２ｈに送られ、コピー防止信号発生部５６５において、上述のＡｎ，Ｚｎ，Ｔｎ，Ｄｎが表になった基準物理配置表５３２が作成され、暗号エンコーダ５３７で暗号化され、磁気記録層に磁気記録される。もしくは図３４の工程のように、原盤の外周部に設けた未感光部５７７原盤作成後、工程５に示すようにピット深さ等を測定し、物理配置表を得て暗号化し、工程６において、この暗号を第２感光部５７７に記録することにより、工程７、８、９に示すように一枚の原盤上にプログラムソフトとともに物理配置表５３２を記録することができる。各ディスク毎に異なるＩＤ番号をいれない場合は、必ずしも磁気層が必要ではなくこの方式により光記録部のみでコピー防止効果をもたせることができる。図３５は原盤の上面図と断面図を示す。又、図３２、図３３にように２枚の原盤を貼り合わせても良い。又、図２４では外部との通信インターフェース部５８８を設けて、図２９のように外部のソフトの著作権者がもつ外部暗号エンコーダ５７９において、第１暗号Ｋｅｙ３２ｄにより物理配置表を暗号化してその暗号を外部暗号エンコーダ５７９から第２通信インターフェース５７８ａと通信回線と通信インターフェース５７８を介して光ディスク製造会社のマスタリング装置５２９に送り返す。この方式では、著作権者の第１暗号Ｋｅｙ３２ｄは光ディスク製造会社に渡されることはないため、暗号の安全性が高まるとともに第１暗号ｋｅｙ３２ｄが第３者に万が一盗まれても光ディスク製造業者は責任を負う必要がないという効果がある。
【００５７】
また、光ピット深さ方向の精密な加工の制御は感光材料の感度とガンマ特性、レーザー光の出力変動やビーム形状、ガラス基板の熱特性、エッチング特性、成形プレスの寸法誤差等の多くの変動要因が含まれるため、かなり難しい。例えば図２２に示すようにピットのパルス巾と深さを組み合わせと変更しようとすると、そのパルスの巾ごとにレーザー出力の振巾とパルス巾の最適条件が異なる。従って、図２２に示すようにガンマ特性を考慮してレーザー出力の出力値とパルス巾を色々と変えた組み合わせ条件をｎ個つくる。例えば数百個のレーザー出力の組み合わせを作り、数百回違う条件で原盤を作成すれば、このうち数回は各々のピットの深さが最適化される。つまり数百個の原盤のうち数個、合格原盤ができる。この合格原盤では、信号を再生した場合、図２２の波形（３）の波形５８１ａ、５８１ｃに示すように基準電圧Ｓ０に到達し、かつ検出電圧Ｓ１に到達しないピット群が形成できていることになる。しかし、１つのソフトに対し数百個無駄な原盤を作成するというのは数千万円の出費を要するため経済的に成立しない。そこで本発明では１回の原盤作成で、最適ピットを作る方式を用いている、図３０に示すように数百組つまりｎ組の５８０ａ〜ｄのピット群を設け、各々ｎ組の異なるレーザー出力条件で記録する。すると、ｎ組のうちの数個、例えば、数百組のうち数組の確率で目的の条件に合格したピット深さとピット形状とパルス巾のピット群が得られる。図１５に示すように、この合格したピット群５８０ｃの物理配置表５３２を暗号化してディスク２の磁気記録部や図３３、図３５に示す第２原盤や第２感光部の原盤５７２の光記録部に記録すれば、ピット深さを用いたコピー防止ディスクができる。この場合、合格ピット群ができる分留りが悪い程、ピット群のｎ組の数は増えるがコピー防止能力がその分高まる。現実にはピット群５６０の１組の総ピット数とパルス巾の種類を増やすことにより組み合わせの数が増え、分留りは数百分の１程度に悪くできる。物理配置表５３２は前述のように一方向関数で暗号化されているため暗号キーを知らない限り改ざんできない。従って、複製業者は１０万円以上する原盤を数百個作らない限り複製できない。つまり、１ヶの複製原盤を得るのに数千万円必要とするため経済的な意味がなくなり、複製業者はコピーをあきめるため複製が防止されるという効果がある。一方１０ビットのピット群を数百種類設け、このピット群を各々百組作っても総容量は数十ＫＢであり、例えばＣＤ−ＲＯＭの容量６４０ＭＢに与える影響は１万分の１であるため、本発明による容量減少が殆どないという効果がある。
【００５８】
図ではＣＤのようなＲＯＭデイスクを用いた例を用いて説明したがパーシャルＲＯＭの様な記録型の光デイスクを用いて光ＲＡＭの記録層部に物理配置表を暗号化して記録しても同様の効果が得られる。またデイスクチェックプログラム５８４は図３７のフローチャートに示すように応用ソフトの中のプログラム５８６の中のプログラムインストールルーチン５８４ｄや、印刷ルーチン５８４ｅや保存ルーチン５８４ｆ等のように各所に、例えば１０００箇所配置することにより応用プログラム全部を解読しない限りデスクチェックプログラム５８５を改ざんしたり削除できないため一部のディスクチェックプログラム５８５を省いても、他の残っているチェックプログラムにより動作は停止する。このようにディスクチェックプログラムを複数ヶ分散して配置することにより不正複製をより困難にするという効果が生じる。
【００５９】
ここで、実施例１の第２の方法、つまり物理ＩＤマークを作成および検知する方法について述べる。具体的にはＣＤ−ＲＯＭ等のＲＯＭ光ディスクのＡＬ等からなる光反射層の一部に反射層のない領域を意図的に設け、物理ＩＤを形成するものである。図３８、図３９，図４０は実施例１の第２の方法の原理を示すシステムのブロック図である。また、図４１はメディアのディスク固有の物理ＩＤを形成した状態を示す。図１５（ｄ）に示すように、半径方向に反射膜４８のない低反射部５８４、５８４ａ〜５８４ｉを１０本と、基準低反射部５８５の１１ヶを反射膜形成時に意図的に設けてある。低反射部５８４の上に光ヘッド６の光ビームが集束された場合、反射部４８に比べて反射光量が極端に減少する。従って、図４１（ｅ）の光再生信号図に示すように信号レベルは極端に低下する。この信号レベルの著しい低下は、図３９のブロック図に示すように、低反射光量検出部５８６の比較器５８７は光基準値５８８より低い信号レベルのアナログの光再生信号を検出することにより、低反射光量部を検出する。検出期間中、図４２の（５）のような波形の低反射部検出信号を出力する。この信号の開始位置と終了位置のアドレスとクロック位置を推定する。
【００６０】
さて、光再生信号は、ＡＧＣ５９０ａをもつ波形整形回路５９０により、波形整形されデジタル信号となる。クロック再生部３８ａは波形整形信号より、クロック信号を再生する。復調部５９１の、ＥＦＭ復調器５９２は信号を復調し、ＥＣＣは誤り訂正し、デジタル信号が出力される。ＥＦＭ復調信号は物理アドレス出力部５９３において、ＣＤの場合サブコードのＱビットからＭＳＦのアドレスがアドレス出力部５９４から出力され、フレーム同期信号等の同期信号が同期信号出力部５９５より出力される。クロック再生部３８ａからは復調クロックが出力される。
【００６１】
低反射部アドレス／クロック信号位置信号出力部５９６においては、ｎ−１アドレス検出部５９７とアドレス信号、そしてクロックカウンター５９８と同期クロック信号もしくは復調クロックを用いて、低反射部開始／終了位置検出部５９９により低反射部５８４の開始点と終了点を正確に計測する。この方法を図４２の波形図を用いて具体的に説明する。図４２の（１）の光ディスクの断面図のように、マーク番号１の低反射部５８４が部分的に設けられている。図４２（２）のような反射光信号つまり図４２（３）のようなエンベロープ信号が出力され、反射部において、光量基準値５８８より低くなる。これを光量レベル比較器５８７により検出し、図４２（５）のような低反射光量検出信号が低反射光量検出部５８６から出力される。
【００６２】
次に、この低反射光量検知信号の開始、終了位置を求めるためには、アドレス情報と図４２（６）の復調クロックもしくは同期クロックを用いる。まず、図４２（７）のアドレスｎの基準クロック６０５を測定する。ｎ−１アドレス出力部５９７により、予め、アドレスｎの一つ前のアドレスを検知すると、次のｓｙｎｃ６０４はアドレスｎのｓｙｎｃであることがわかる。このｓｙｎｃ６０４と低反射光量検知信号の開始点つまり基準クロック６０５までのクロック数をクロックカウンター５９８でカウントする。このクロック数を基準遅延時間ＴＤと定義し、基準遅延時間ＴＤ測定部６０８が測定し、記憶する。再生装置により、回路の遅延時間が異なるためこの基準遅延時間ＴＤは異なる。そこで、このＴＤを用いて時間遅れ補正部６０７が時間補正を行うことにより、どの再生装置においても低反射部の開始クロック数が正確に測定できるという効果がある。次に図４２（８）のように次のトラックの光学マークＮｏ．１に対する開始、終了アドレス・クロック数を求めるとアドレスｎ＋１２のクロックｍ＋１４が得られる。ＴＤ＝ｍ＋２であるから、クロック数は１２に補正されるが説明ではｎ＋１４を用いる。
【００６３】
ここで、低反射部アドレス表について述べる。予め工場において、図３に示すような各ディスク毎に低反射部５８４を測定し、低反射部アドレス表６０９を作成する。この表を図４４に示すような一方向関数で暗号化し図１５に示すように、ディスクの最内周部に、バーコード状の反射層のない低反射部群を、２回目の反射層形成工程において、記録する。もしくは図３８に示すように、ＣＤ−ＲＯＭの磁気記録部６７に記録してもよい。図３に示すように正規のＣＤと不法に複製されたＣＤでは低反射部アドレス表６０９，６０９ｘが大幅に異なる。従って図３８のようにこの暗号化された表を復号して、正規の表をつくり、照合プログラム５３５により照合することにより、正規のディスクと不法複製されたディスクを区別することができ、複製ディスクの動作を停止できる。図４２の例では図４３に示すように正規のディスクと不正複製されたディスクでは低反射部アドレス表６０９，６０９ｘの値が異なる。図４２（８）のように正規ディスクではマーク１の次のトラックでは開始終了はｍ＋１４，ｍ＋２６７であるが、図４２（９）のように不法複製されたディスクではｍ＋２１，ｍ＋２７７となり異なる。こうして図４３に示すように低反射部アドレス表６０９，６０９ｘの値が異なり複製ディスクを判別できる。これはＣＬＶの場合、前述のように原盤のアドレスの座標配置が異なることを利用している。図４５に実際のＣＤのアドレスの位置について測定した結果を示す。このようにかなりアドレス座標が異なることがわかる。さらに、本発明の方法では、例え原盤が同じでも、反射膜作成工程で反射膜を一部削除するためディスク毎に低反射部が異なる。ピット単位で正確に反射膜を部分的に削除することは、通常工程では不可能に近い。従って本発明のディスクを複製することは経済的に成立しないため、複製防止の効果は高い。図３０に低反射部アドレス表による複製ＣＤの検出フローチャート図を示す。説明は重複するため省略する。
【００６４】
次に、低反射部の作成法について述べる。図４７は図４７の工程（２）において蒸着防止部６１０を設けてディスクの基板上に接触させる。図４７の工程（３）においてスパッタリングをした場合、反射層のない低反射部５８４ができる。工程（４）において基板の屈折率ｎ１と保護層６１１の屈折率ｎ２を近くしておけば低反射部５８４の反射光量は減る。ｎ１＝１．５５であるから１．３≦ｎ２≦１．７にしておけばよい。
【００６５】
図４８は光透過率の低いインキ６１２を塗布する工程（３）でＵＶ硬化させ、工程（４）で反射膜をつける。インキ６１２の透過率が低いため低反射部５８４が形成される図４９は工程（２）において遮光部６１３を接着部６１４により基板に接着させ工程（３）において、第１マスクにより内周部の光トラック以外の部分に反射膜を形成し、低反射部５８４を形成する。工程（４）で光ヘッド６で低反射部５８４の位置を検出し、低反射部アドレス表６０９を作成し、工程（５）で暗号化する。工程（６）では、この暗号データをバーコードデータのような変調信号に変調し、印字部６１７とインキ６１２により、暗号データ記録部６１８基板上に変調信号を光学マークとして作成する。
【００６６】
工程（７）でインキを硬化させ、工程（８）で暗号データ記録部６１９以外をマスキングした第２マスク６１６を用いて、スパッタリング等により反射膜４８を形成する。インキ６１２の部分では反射光量が減り、第２の低反射部５８４が形成される。工程（９）で部分的に光量の減少したエンベロープが再生され、工程（１０）で低反射部検出信号が再生され、バーコード復調部６２１により、暗号データが再生される。図４９の工程（１２）に示すように暗号データ記録部６１９にはバーコード６２０だけでなく、文字パターン６２２も印字できるためディスク毎にＩＤ番号の文字を印字することにより、目視でＩＤ番号を確認できるという効果がある。図５０は暗号データ記録部６１９に円形バーコード６２０や文字パターン６２２を印字するのに、熱転写用の発熱部６２３をもつ発熱ヘッド６２４を用い、フィルム６２５上に塗布されたインキ６１２を基板に部分的に熱転写させることにより、工程（２）のようにインキ６１２が基板上に残る。必要であればＵＶインキを用いて工程（３）においてＵＶ硬化させる。工程（４）で、第２マスク６１６を用いて暗号データ記録部のみに金属反射膜を形成することにより、工程（５）のように光ヘッド６で工程（６）のような低反射部のみ減衰した再生波形が得られる。工程（６）で低反射部検出信号が得られる。図４９のようにバーコード復号器６２１でデジタルデータが出力されＣＰマスター暗号信号が得られる。この信号はディスク一枚毎に異なるため一枚毎に異なる物理ＩＤが得られる。このマスター暗号６２６は図５２に示すように、図３で説明した各ディスクの固有物理情報である低反射部アドレス表６０９のような各ディスク固有のディスク物理ＩＤ６２６又は図３の物理配置表のようなスタンパー物理ＩＤ６２７とソフト会社が任意につけるシリアル管理番号であるディスク管理ＩＤ６２８を１つのデータ列として一方向関数の暗号エンコーダーにより暗号化してマスター暗号６２９を作成している。従ってユーザーがディスク管理ＩＤ６２８を改ざんしようとしてもディスク物理ＩＤ６２６が変更できないため、改ざんできないという効果がある。
【００６７】
このディスク物理ＩＤは、図４９のディスク上面図のＣＰ光マーク部６１８に図４１のような光マークで無作為に作成される。この信号を再生すると図５３のように各光学マークに対して０〜９の１０ヶの角度番号にアドレスを分割することにより１０ヶのデータが得られ１０桁つまり３２ｂｉｔのディスク物理ＩＤ６２６が定義できる。そして前述のようにディスク物理ＩＤは原盤が同じでもディスク一枚毎に異なるため、暗号化により特定のディスク管理ＩＤ６２８に対応することになりディスク管理ＩＤの改ざんが防げる。このことにより、プログラムのプロテクトの解除パスワードのセキュリティが大巾に向上するという効果がある。又、アドレスとクロック数とで、光学マークの位置を検出する実施例を説明したが、図８２を用いて説明したように図３８のディスク回転角検知部３３５のディスク回転角情報と低反射光量検知信号から低反射部角度位置信号出力部６０１の低反射部角度位置検出部６０２により低反射部角度位置信号を出力し、図５３のようなディスク物理的テーブル６０９を作成することができる。
【００６８】
図５１のように書き込み可能な書き込み層６３０を設けることにより、ペンでパスワード等を書き入れることができるだけでなく、書き込み層６３０が厚くなるため磁気記録部の損傷を防ぐという効果も得られる。この書き込み層６３０の上にディスク管理ＩＤ６２８の文字とバーコードを印字することにより、販売店においてＩＤ照合ができる。
【００６９】
次にエラー信号を意図的にディスク上に配置して、複製防止信号とする方法を述べる。
【００７０】
図５４に示すように、正規のディスク２には特定のアドレス・クロック部に特定のエラー符号６３２が配置されている。この配置情報はエラー符号−アドレス表６３１としてディスク２上に暗号化されて記録されている。この暗号化情報は暗号デコーダ５３４で物理ＩＤ出力部６３３より出力される。一方、ディスク２上のＣＰエラー符号６３２“１１０１１００１”はパリティによりエラーＣＰ符号検出器６３３によりエラー符号リスト６３４と照合されて、エラー符号−アドレス・クロック位置出力部６３５により、エラーＣＰ符号のアドレス・クロックが出力され、照合プログラム５３５によりエラー符号−アドレス表６３１と照合され、一致数ｎ１が一定の比率以上であれば、正規ディスクと判別される。このエラーＣＰ符号“１１０１１００１”はＥＣＣデコーダー３６ｅで誤り訂正され、“１１０１１０１１”と出力されるため出力データは問題ない。一方、不正複製ディスク２ａは誤り訂正後の通常符号６３５を複製するため、正規ディスク２のＣＰエラー符号６３２と相違が生じる。この場合、出力データは正規ディスク２と同じ“１１０１１０１１”である。しかし、エラーＣＰ符号検出器６３３により、検知されるエラー符号が少ないのと同時にエラー符号−アドレス表とエラー符号の配置が一致しないため照合プログラム５３５で複製ディスクであると判別され、動作が防止される。こうして複製防止ディスクが実現する。この場合、信号の変更だけでよいこととエラーＣＰ符号検出部６３３の追加だけでよいため、システムが簡単になるという効果がある。
【００７１】
次に図５６に示すような複製防止（ＣＰ）用に特殊なＥＦＭ変換表６３６を用いてコピープロテクトを行う方法を述べる。ＥＦＭ変換において原データ６３７は標準符号６３５“００１００００１００００１０”に変調されて、ＥＦＭデコーダー５９２において、復号データ６３８に復号される。複製防止ディスク２では特定のアドレスにのみ標準符号６３５のかわりにＣＰ特殊符号６３９を記録してある。符号はＥＦＭ復調されると通常の復号データ６３８“０１１０１１１１”に復号されるため出力データだけでは区別できない。
【００７２】
具体的な構成を図５５のブロック図を用いて説明する。正規のディスク２ではＣＰ特殊符号検出部６４６が、ＣＰ特殊符号６３９を検出し、ＣＰ特殊符号アドレス出力部６４１より、ＣＰ特殊符号のアドレスを出力する。正規ディスク照合部５３５において、暗号デコーダ５３４より復号されたＣＰ特殊符号−アドレス表６４２と照合し、基準値ｎ０以上照合値があれば正規ディスクと判別する。不法に複製されたディスク２ａでは標準信号６３５しか記録されていないためＣＰ特殊符号検出部６４０ではＣＰ特殊符号検出信号は、エラーの場合以外発生しない。このため正規ディスク照合部で不正ディスクと判別され、動作は停止する。
【００７３】
このようにしてＥＦＭ特殊変換テーブル６３６を用いることにより、変調信号の段階でコピー防止ができる。図５４のエラー特殊符号方式に比べるとより、複製が困難になるという効果が得られる。信号を変更するだけでできるため構成が簡単になるという効果がある。
【００７４】
次にこのマスター暗号６２９とディーラーコードを利用したインストール管理方法について述べる。図５８はサブ暗号デコーダ６４３について、全体の流れを説明したものである。このフローチャートはソフト会社の処理ステップ４０５ａ、ディーラーの処理ステップ４０５ｂ、ユーザーの処理ステップの４０５ｃの３つの大きなステップから成り立っている。まずソフト会社の処理ステップ４０５ａでは実施例１の図５２で説明したように、原盤固有の原盤ＩＤ６２７とディスクの物理ＩＤ６２６とシリアル番号等のディスク管理ＩＤ６２８とサブ暗号デコーダ番号ｎｓ、例えばｎｓ＝１５１をマスター暗号エンコーダ５３７で一括してマスター暗号６２９として暗号化している。このため改ざんが防止できる。各ディーラーもしくはサービスセンターのディーラー番号ｎｓのディーラーに１ヶ与えられている。各々のディスクはマスター暗号６２９の中でサブ暗号デコーダ番号：ｎｓ６４４、例えばｎｓ＝１５１が設定されている。従って、図５７のディスクのサブ暗号６４５はディーラー番号１５１のサブ暗号エンコーダ６４６でしか符号化できない。このディスクでは、サブ暗号デコーダ６４７がｎｓ、例えばｎｓ＝１５１とマスター暗号６２９で設定されている。従って他の番号のサブ暗号エンコーダ６４６でエンコードしても、復号されないため動作しない。
【００７５】
従って、例えばｎｓ＝１５１の暗号エンコーダー６４６ａをｎｓ＝１５１番のディーラーだけがこのディスクの流通のコントロールつまりプログラムの解除やインストール台数の設定等を行うことができる。
【００７６】
次のディーラーの処理ステップ４０５ｂではサブ管理データ６４９を作成する。この中にはディスク物理ＩＤ６２６の他にディスク管理ＩＤ６２８インストール制限台数６５０、使用制限時間６５１、サービス用パスワード等が含まれている。このサブ管理データ６４９をｎｓ＝１５１のディーラーが秘密を保ち、所有するｎｓ＝１５１のサブ暗号エンコーダ６４６ａで暗号化し、サブ暗号６４５を作成し、ディスク２の磁気記録部に記録する。
【００７７】
次のユーザーの処理ステップ４０５ｃでは、マスター暗号６２９を再生し、マスター暗号デコーダ５３４でマスター管理データ６４８を復号する。この中の原盤物理ＩＤで原盤複製のチェックを行い、ディスク物理ＩＤ６２６とディスク管理ＩＤ６２８でＩＤ番号改ざんのチェックを行う。サブ暗号デコーダ番号６４４が復号され、ステップ４０５ｄで、サブ暗号デコーダ番号：ｎｓ例えばｎｓ＝１５１が選択される。ディスク２の光ＲＯＭ部には、例えば００１番から９９９番のサブ暗号デコードのプログラムやデータが暗号化されて記録されている。このうちから、特定、つまりｎｓ＝１５１のデータを再生し、マスタ暗号デコーダ５３４でｎｓ＝１５１のサブ暗号デコーダー６４７を復号する。この場合サブ暗号デコーダーは暗号化されているため改ざんできないという効果がある。サブ暗号デコーダ６４７によりサブ暗号からサブ管理データ５４９が復号される。サブ管理データ５４９には物理ＩＤ６２６が含まれているため、データ改ざんのチェックができる。また、インストール台数６５０や使用制限時間６５１や解除プログラム番号６５２が記録されているため、このディスク２の解除されているプログラムの番号や、インストールできる台数を制限することができる。この設定はディーラー番号ｎｓのディーラーが任意に設定できる。このため、ディスクやソフトの販売状況において、各国の各地域のディーラーが最適の設定を行うことができるという効果がある。
【００７８】
図５８のフローチャートを用いて図５７のフローをさらに詳しく説明する。図５８ではソフト会社のディスク製造ルーチン４０５ａ、ディーラーのディスクの使用制限ルーチン４０５ｂに加えて、ディーラーのプログラムの使用許可ルーチン４０５ｄとユーザーのインストールルーチン４０５ｃが新たに追加されている。まず、ディスク製造ルーチン４０５ａではステップ４１０ａの原盤製造工程で原盤を作成し、このアドレス−座標表やエラー−アドレス表等の原盤物理ＩＤを抽出する。原盤からディスク基板を製造しステップ４１０ｂの第１金属反射膜製造工程で、前述のように、反射層のない低反射部を間欠的に設ける等の手段により、各ディスク毎に異なる物理的な特徴を作りディスク物理ＩＤを抽出する。
【００７９】
ステップ４１０ｃのシリアル番号発生工程で、ディスク毎に異なるシリアル番号のディスク管理ＩＤを発生させ、サブ暗号デコーダ番号ｎｓを指定し、ステップ４１０ｄでマスター暗号デコーダで暗号化し、ディスクマスター暗号を作成し、ステップ４１０ｅで第２金属反射膜工程で円形バーコード様の各ディスク毎に異なる記録番号を各ディスクに記録する。もしくはステップ４１０ｆで磁気記録層に記録し、ディスク２を製造する。次の番号ｎｓのディーラーのステップ４０５ｂでは、ステップ４１０ｇでディスクサブ管理データ６４９を作成し、ステップ４１０ｈでｎｓ番のサブ暗号エンコーダ６４６でディスクサブ暗号を作成し、ステップ４１０ｉで磁気記録層に記録する。次のユーザーのインストールルーチン４０５ｃではまず、マシンＩＤを読みにいき、インストール管理データ６５４のマシンＩＤ記録エリア６５５にマシンＩＤを登録する。次にステップ４１０ｋでＨＤＤにマシンＩＤを記録し、ディスク２でインストールが許可されている基本プログラム番号のインストール許可フラグ６５３を確認する。フラグ６５３ａ，６５３ｂ，６５３ｃは各々のマシンＩＤ１，２，３のマシンへのインストール許可を示す。図の場合、マシンＩＤ１と３だけにインストールが許可されていることがわかる。インストール後、ステップ４１０ｍで全インストール管理データ６５３を記録する。ステップ４１０ｎで、新規のプログラム：ｎｐを料金を払ってインストールをする場合の作業に入る。ステップ４１０ｐで新しくｎｐをマシンＩＤ１，３にインストールする場合の追加インストール管理データ６５４ａを作成する。データにはインストール許可フラグ６５３ｆ，６５３ｈにインストール許可フラグ６５３が立っている。そしてこのデータをディーラーへ送信する。ディーラーの使用許可ルーチン４０５ｄに入り、ステップ４１０ｕでディーラーはプログラムインストールの料金の受領を確認する。Ｙｅｓの場合のみステップ４１０ｖに進み、追加のインストール管理データ６５４ａをサブ暗号エンコーダＮｏ．ｎｓで暗号化し、ステップ４１０ｗでインストール管理番号を作成し、ユーザーに送信する。ユーザーではステップ４１０ｑでインストール管理番号６５５を受信し、ステップ４１０ｓで、サブ暗号デコーダＮｏ．ｎｓで暗号を復号し、追加のインストール管理データ６５４ａを復号し、ステップ４１０ｔで新プログラムのインストールを行う。この時ステップ４１０ｘにおいて復号した物理ＩＤデータとディスクより測定した物理的ＩＤデータを照合し、ＯＫの場合のみ、ステップ４１０ｚに進み、プログラムｎｐのインストールを開始する。改ざんした場合は物理ＩＤが一致しないため、不正改ざんが防止される。この場合追加プログラムｎｐのうちインストール許可フラグ６５３ａ，６５３ｃに１がたっているため、マシンＩＤ１と３のみにプログラムインストールが許可される。なお、図５ではアドレス−座標位置情報５３２を暗号化して、光ＲＯＭ部の原盤に記録する方法を示した。しかし、図１５に示すようにこのアドレス−座標位置情報５３２を暗号化して、バーコード状のマスクパターンを作りバーコード状の無反射部をもつ反射膜を作成し、このバーコードパターンを光ヘッド６で再生することもできる。この場合、光再生面と反射側の保護層６１０を透明にし、光ヘッド６と反対側の面側に光センサーを設けてバーコードを読みとり、複製防止信号を再生することもできる。この場合、バーコードからクロック信号を再生し、モーターの回転制御を行うことにより、ＦＧモーターを用いなくても、磁気記録部への記録的にモーターの定速回転が可能となる。図４６のようにコピープロテクト用光マークのアドレス位置、ピット配置を検出し、正規ディスクと不法複製ディスクを識別し、排除する。なお、暗号関数としてＲＳＡ関数を用いたが、楕円曲線関数もしくはＤＥＳ関数を用いても同様である。図５９における光学マーク３８７と光面のアドレス位置の角度位置関係はディスク毎に異なる。この角度差をディスクの物理ＩＤとすることもできる。
【００８０】
また、バーコード状の低反射部５８４は図６０の工程図に示すようにレーザートリミング装置を用いて作成することもできる。工程（３）（４）の第１次レーザートリミング工程でレーザー６４３の光束をレーザースキャナー６４４によりスキャンさせ非直線状パターン６５３を作り、工程（４）のような低反射部５８４を作成する。本発明では工程（３）のように直線状ではなくジグザグ形状にレーザーカッティングする。このため、本発明では１Ｔ単位で低反射部を検出するため本発明のディスクを複製するには、ピット単位つまり、水平、垂直双方向に０．８μｍ以下の精度でカッティングする必要がある。これに対し汎用レーザースキャナーの精度は１０μｍ以上であるため、市販の機器では無反射部５８４が複製できないという効果がある。図４９と同様にして図６１に示すようにレーザートリミングにより、工程（３）でランダムなＩＤマークを作成し、工程（５）でＩＤマークのアドレス、クロック番号を検出し、これらのデータと論理ＩＤ番号を一括して暗号化する。この暗号を工程（６）の第２次レーザートリミング工程でバーコードのようなパルス巾変調信号として記録する。こうして各ディスク毎に異なり、改ざんできないディスクＩＤ番号がＣＤの光記録部に形成される。図６７に示すように工程（２）で原盤の物理配置情報５３２を予め検出し暗号エンコーダー５３７で暗号化し、パルス巾変調部６５６でＣＰバーコード信号を作る。完成した原盤の内周部又は外周部に工程（３）でレーザートリミングもしくは切削材で、原盤の一部を取り去り、ＣＰバーコード信号のパルス巾で無ピット部を設ける。この領域は０の連続したデータしか再生されない。工程（７）でＰＷＭ復調部６２１でこのバーコード状のパルス巾を測定することにより、コピープロテクトデータを復調できる。こうしてユーザー段階で複製ディスクが検出できる。又図６８に示すように図３２の場合と同様にして工程（６）で第１原盤より、ディスク２を完成させ、工程（７）で第１原盤５７５の物理配置情報５３２が暗号化されて、記録された第２原盤５７５ａを作成し、工程（８）で第１反射膜４８の上に３０μｍの透明層を設け、公知の２Ｐ法で第２原盤５７５ａにより、ピットを形成し、第２反射膜４８ａを形成する。このことにより、第２反射膜４８ａに第１反射膜４８の物理配置情報５３２が記録されるため、プロテクトレベルの高い複製防止ディスクが実現する。
【００８１】
図３９、図９７を用いて記録媒体２に記録された第２低反射部７５１ａの記録方法及び検出方法をさらに具体的に述べる。
【００８２】
まず、図９７に示すように記録媒体２のＴＯＣ領域７５２に第２低反射部７５１が複数個設けられている。第２反射部７５１の存在によりデータエラーが発生する。つまり第２低反射部７５１の領域が大きすぎると、正常な信号が出力されない可能性がある。これを避ける方法として、２つの方法を本発明では採用している。第１の方法は、図９７に示すように、第２低反射部のない無第２低反射部領域７５８を第２低反射部領域７５９のあるトラック上に設ける方法である。この場合、無第２低反射部領域７５８は１トラックＴＯＣ情報領域７６０よりも、大きいことが要求される。こうすれば、たとえ第２低反射部領域７５９でデータが全く復号できなくても、第２低反射部領域７６０では、データが完全に再生される。従って、無第２低反射部領域７６０のトラック上の長さをｄＮとし、１トラックＴＯＣ情報領域のトラック上の長さをｄＴとすると、ｄＮ＞ｄＴであれば、１トラック分のＴＯＣデータは再生される。１回転で確実に再生するためならｄＮ＞２ｄＴであればよい。ＣＤ−ＲＯＭの場合ＴＯＣには１トラックのデータしか記録されていないため、ｄＮ＞２ｄＴであれば、１回転でＴＯＣデータが確実に再生できるという効果がある。ＣＤ−ＲＯＭの場合、ｄＴは１５ｍｍ位であるため、一周に３ｃｍ程の第２低反射部のない部分を設ければ残りは全て第２反射部のバーコードに使用できる。
【００８３】
次に、第２低反射部領域における第二低反射部７５１ａ等の間隔ｄｒについて述べる。あまり間隔を詰めるとフレーム同期信号が検出できなくなり回転制御ができなくなる。例えば第二反射部の幅は１０ミクロン前後となる。ＣＤの場合フレーム同期信号の間隔は１８０ミクロンであるからｄｒが３６ミクロンならフレーム同期信号が破壊される確率は１／４となり回転サーボがかかる。２個に１個のフレーム同期信号は再生する必要があるため、すくなくともｄｗを第二反射部の平均的な幅とすると、少なくともｄｗ＜ｄｒにすることにより回転が制御できるという効果が得られる。
【００８４】
第二の方法として、第２低反射部７５１に記録すべきデータ容量が少容量でよい場合は、ｄｒなる第２低反射部７５１間の間隔７５３をインターリーブ長ｄＩ以上つまりｄｒ＞ｄＩにすれば、データエラーは訂正され、エラーが発生しないため第２低反射部領域にもデータが記録できるという効果がある。
【００８５】
また、図６２（ａ）に示すように、制御部１０よりアドレスＡｎを検知した時に、オフトラック切換え信号をトラッキング制御回路２４に送り、トラックサーボ極性反転回路６４６により、トラッキングサーボ回路２４ａの極性を逆にする。すると、図６２（ｂ）に示す正極性サーボによるＯｎ  Ｔｒａｃｋｉｎｇ状態、つまり、ピット４６上の走行様態から、図６２（ｃ）に示す逆極性サーボに切り替わる。そして、光センサー６４８ａ、６４８ｂの両端にピット４６ａ、４６ｂのパターンがくるように制御されるため、隣接する２つのトラックの丁度中間を光ビームが走行する。図６２（ｃ）に示すように隣接するトラックのピット４６ａ、４６ｂが同相の時は両者のクロストーク信号が強調され、同相再生信号６５０が再生される。同相でない時は正常な信号は再生されない。特に逆相の場合はクロストーク信号が互いに打ち消しあい、振巾の変化しない信号が再生される。
【００８６】
図６３に示すようにＣＤの全データのオフトラックの信号を再生してみると、非常に低い確率で隣接トラックの複数のピット４６が完全に一致して同相になる状態が出現する。この領域においては、一定時間Ｔｓの間、継続する同相信号ブロック６５３ａ、６５３ｂ、６５３ｃが検出できる。このうち特定のアドレスＡｎからオフトラックにジャンプした場合、同相ブロックＳ１のフレームＳｙｎｃ信号６５４ａに、到達するような同相ブロック６５３のみを選別し、複数組抽出する。そして、原盤物理ＩＤ表５３２にアドレスＡｎと配置角度θｎと同相再生コード６５２ａ、６５２ｂを格納する。この表をＣＤの光ＲＯＭ部にバーコード状無反射部に記録する。もしくは、磁気記録部に記録する。このＣＤを再生する時は図６２の光再生部もしくは磁気再生部により、原盤物理配置表５３２を再生し、照合部５３５へデータを送る。このデータに基づき、図６３に示すようにまずアドレスＡｋで角度０に設定する。次にアドレスＡ１でオフトラックジャンプし、まずフレームＳｙｎｃ信号６５４ａを検出し、この時の角度θ１を測定する。同時に同相再生コード６５２ａ゛１０００１０００１００１゛を再生し、逆相再生コード゛０００００００゛も再生する。この測定したデータが原盤物理ＩＤ表５３２と一致するかを照合部５３５で照合し、一致しない場合は出力／動作停止部５３６により、プログラムの動作もしくは出力を停止させる。アドレスＡ２の同相ブロック６５３ｂに対しても同様の照合作業を行い、同相再生信号のフレームＳｙｎｃ信号の角度θ２と同相再生コード６５２゛１００１００１０００１・・・゛が原盤物理ＩＤ表５３２と一致するか照合する。
【００８７】
図６３の方式では、まず同相ブロックの同相再生コード６５２が一致するかを照合する。この部分を複製するためには４．３ＭＨｚでの周期Ｔの０．５Ｔの精度で隣接トラックのピットの位置を正確に作成する必要がある。ＣＡＶで原盤をカッティングしないとこの精度は出ない。同時にフレームＳｙｎｃ６５４ａの角度位置Ｏｎを測定している。各同相ブロック６５３ａ、６５３ｂの間はＣＬＶで記録されている。従って、角度位置θｎを一致させるには高精度のＣＬＶで記録する必要がある。つまり、角度θｎと同相再生Ｃｏｄｅを完全に一致させるには０．５Ｔの精度でＣＬＶ制御し、原盤を作成する必要がある。このとことは、現在の装置では不可能に近い。こうして角度θｎと同相再生コードを組合わせることにより原盤の複製が防止される。
【００８８】
図６３では、２つのトラックの隣接するフレーム同期信号７２９ａ、７２９ｂが同相になり、同相フレーム同期信号６５４ａが検出可能な領域を探しだし、この領域を第１物理特徴情報として用いた。これは図９３（ａ）に示すように、ＣＬＶ記録のため回転角θの増加に伴い、曲線７３０ａのように一周分の記録パルス数が増加してゆく。ＣＡＶで製作されたディスクならばモータは一定回転であるため、記録信号を０．５Ｔの角度精度で複製できる。一方ＣＬＶで製作されたディスクは、一定線速度であり、ピットの配置の角度を正確に複製できない。本発明の光ディスクは、ＣＬＶで製作されているため、ＣＬＶやＣＡＶの通常の原盤作成装置では正確な角度精度で製造できないため複製できない。しかし、図９３（ａ）において一周離れたＡ点とＢ点の１組の同相の記録信号７３１ａと７３１ｂの間の記録パルス数がｎ０であることに着目して、一周の記録パルス数が丁度ｎ０となる一定の回転角速度を計算しＡ−Ｂの領域だけ、ＣＬＶからＣＡＶに切り換え、このＣＡＶの回転数でモーターを回し、Ａ−Ｂの領域だけＣＡＶ記録することにより、曲線７３０ｂの記録が可能となる。つまり、将来ＣＬＶ／ＣＡＶ切り換え型の原盤作成装置が開発された時点で、２点方式ではＡ点とＢ点は０．５Ｔの精度で複製されてしまう。寿命は３年から５年程度となる。
【００８９】
図９２ではさらに高いプロテクトレベルか要求される用途のための３点一致方式を示している。３点一致方式では隣接トラック７２７ａ、７２７ｂ、７２７ｃの３つのフレーム同期信号７２９ａ、７２９ｂ、７２９ｃが同相状態に配列されている同相領域７３２より、第１物理特徴情報を得ている。このように３つのフレーム同期信号が同相である確率は低いが、確率計算上はＣＤ−ＲＯＭの場合、例えば一枚につき６３ヶ所存在する。つまり、どんなＣＤ−ＲＯＭにも数カ所は必ず存在する。
【００９０】
図６３と同様にして検出する方法を述べる。まず、図９２の（１）ピット配置において、トラック７２７ａの特定Ａｎのアドレス７２５ａの後に続くマーク信号７２６ａを検出した時、外周側に、トラッキングをジャンプさせるともに図６２のようにトラックサーボの極性を反転し、オフトラック走行をさせ、トラック７２７ａとトラック７２７ｂの間のオフトラック７２８ａにジャンプさせる。すると、同相信号領域７３２のオフトラック部に達し、図９２（２）波形Ａに示すように同相フレーム同期信号６５４ａが出力される。フレーム同期信号は１１Ｔの最大ピット長であるため他のピットと容易に区別できる。図９２（３）の再生クロック波形の再生クロック信号７３３のマーク信号７２６ａからのパルス数カウントｎｓ７３４を、予め図６３の第１物理特徴情報に入っているパルス数７３４と一致するかを確認することにより別の同相フレーム同期信号を誤まって検出することは防止される。同相フレーム同期信号６５４ａを検出後、オフトラック７２８ａから外周部のオントラック７２７ｂへジャンプし、Ａｐ＋ｌなるアドレス７２７ｄを確認することにより、検出した同相フレーム同期信号６５４ａがトラック７２７ａとトラック７２７ｂの同相信号であることを、確認できるため、さらにセキュリティが上がる。
【００９１】
次に、トラック７２７ａ、７２７ｃ間の同相フレーム同期信号６５４ｂを検出する方法を述べる。まず、図９２（１）ピット配置のアドレス７２５ａの後のマーク信号７２６ａ検出後、内周側にトラックジャンプさせ、トラックサーボを逆相にし、オフトラック７２８ｂを走行させると、図９２（５）波形Ｂに示すように正規のディスクなら同相フレーム同期信号６５４ｂが検出できる。複製ディスクなら検出されない。次にさらに内側のトラック７２７ｃにオントラックジャンプし、所定のアドレス７２７ｅを検出し、トラック７２７ａと７２７ｃの間のオフトラッキングをしたことが確認できる。こうして、３点の同相フレーム同期信号が検出できる。
【００９２】
図９３（ｂ）の曲線７３０ｃに示すように同相信号がサブミクロンの精度で正確に３６０゜おきに３点配置されており、しかも、その間の記録パルス数はＡＢ間はｎ０なのに対し、ＢＣ間はｎ０＋△ｎ０である。従ってＣＡＶ記録を行うことにより、ＡＢ間は複製できるがＢＣ間は、曲線７３０ｄとなるためＣは複製できず、Ｃ’しか複製できず、記録パルス数が△ｎ０だけ不足し、ＣＡＶ／ＣＬＶ切り換え型原盤作成装置では複製できないことになる。こうして、３点一致法では複製の困難度が増すため、海賊版光ディスクの複製防止効果が高くなる。
【００９３】
図９４は、２点一致方式の複製困難度をさらに上げるために、一回転の中に、２組の同相記録信号領域が存在するトラックを第１物理特徴情報とした場合の複製の困難度を説明する図である。図９３（ｂ）の３点一致方式は、複製困難度が高いがＣＡＶ／ＣＬＶ切り換え型にクロック制御方式を追加することにより、複製される可能性がある。しかし、図９４のように曲線７３０ｅに示すようにＡＢ点に加えてＣＤ点の２点一致方式を一周上に２ヶ、つまり４点一致方式を採用すると、Ｃ点を１０−７の角度精度で測定する技術が必要となり、複製が非常に困難になる。上記のクロック制御方式に加えて、極めて高い精度の角度検出手段が必要となり実現にはかなり将来の技術が必要となる。こうして図９４に示すように４点一致法、つまり、１周に２ヶ所以上の同相記録ピットのある領域を第１物理特徴情報として用いることにより、複製が極めて困難になるという効果が生じる。
【００９４】
本発明は、ＣＤのラベル面に磁気記録層をもつ。従って図６４（ａ）に示すように磁気記録層の上にゴミ等の異物６５５ａ，６５５ｂ，６５５ｃがある場合、記録特性が低下する。図４０の再生出力検知部６５７において、再生出力と、再生出力基準値６５８とを比較器６５９により比較することによりこの低下状態を検知することができる。この場合ディスク回転角検知部３３５により相対角度がわかるため、異物６５５の存在するトラック数の位置と角度位置ＯＤが検出できる。この場合、光面の位置とラベル印刷の角度ずれを磁気記録層に記録することによりラベル印刷面上の出力低下部の角度が計算できる。この位置を図６４（ｂ）の表示部１６のウインドウ５６７にディスクのラベル印刷の角度と、再生出力低下部６５９を出力低下マーク６６０ａ，６６０ｂ，６６０ｃとして同時に表示する。使用者はどこに異物６５５があるのが、認識できるため、異物６５５の除去が容易になるという効果がある。１〜７とＡ〜Ｇの座標をディスク２と表示部のウインドウ５６７に設けることにより除去はさらに容易になる。図６５は具体的なウインドウ５６７ａ，５６７ｂの使用者へのエラーメッセージの例を示す。図６６のフローチャート図は具体的な異物の清掃指示ルーチン４７１ａを示す。ステップ４７１ａでトラックＴｎを記録する場合、ステップ４７１ｄでトラックＴｎを再生して、ステップ４７１ｆで再生出力検知部６５７の出力が基準値以上かチェックし、基準値以下なら、ステップ４７１ｉに進み、初回ならステップ４７１ｊで図６５のエラーメッセージを出しディスクの清掃表示を行い、ディスクを排出する。そしてステップ４７１ｄに戻り、出力レベルが基準値以上なら記録を行い、以下ならステップ４７１ｒに進み使用者に再清掃させる。３回目でも再生出力が回復しない場合は、ステップ４７１ｘに進み、トラックＴｎを廃棄し、別のトラックのインターリーブデータよりデータを作り直し、新規のトラックＴｎ＋ｔにデータを記録し、ステップ４７１ｚで記録再生を完了する。また、図３１波形２に示すように原盤カッティング時にオフセット信号に基づき信号のパルス巾を変えてデューティ比を変えると波形１５１に示すようにオフセット電圧△Ｖｓが発生する。これは図４０のブロック図の波形整形器３８ａのスライスレベルＶｓ出力部３８ｂからのスライスレベル電圧と基準スライスレベル電圧との差のオフセット電圧△Ｖｓを検知することにより検知できる。図３８のようにディスク物理形状テーブル５３２のオフセット電圧配置情報とオフセット電圧検知部６６０との角度位置もしくはアドレス配置を照合することにより、不正複製ディスクを検出できる。
【００９５】
では、ここでより具体的な海賊版ディスクのプログラムの動作停止や不正にコピーされたプログラムの動作停止方法について述べる。図６９のディスクドライブをもつパソコン６７６の中のＣＰＵ６６５の中で主にソフトウェアで処理されるため図４０とのハードウェアの違いを説明する。まず、図６９では磁気再生回路の中の復調器としてＭＦＭ復調器３０ｄとは別の方式の第２復調器６６２をもち、切換部６６１で切り換えられる。これは対応する変調器は工場しかもたないため、再生はできるが完全な記録はできない。従って、工場で特殊変調された領域を記録した場合、特殊変調信号は記録されない。ドライブ側ではＣＰＵ６６５により、この領域で特殊変調信号を再生しない限り、記録できないように制御している。従って、論理的な、Ｗｒｉｔｅ  Ｏｎｃｅ領域といえ、１回だけ記録できる。従ってマシンＩＤをこの領域に記録するとユーザーのドライブでは改ざんすることができなくなり、許可された台数以上の不正インストールを防止することができる。また、ネットワークのインターフェース部１４により、ネットワーク６６４に、接続された第２パソコン６６３の中のＨＤＤ等をみて、同じＩＤ番号のプログラムが起動や動作をしないように監視させている。こうして、不正コピーされたソフトの動作を防止する。このことを含めて、ＣＰＵ６６５等の動作をフローチャートを用いて説明する。
【００９６】
図７０のフローチャートでプログラムをインストールする場合の作業を説明する。まずステップ６６６ａでディスクの挿入を確認してステップ６６６ｂでプログラムのインストール命令を受けて、インストールを開始する。ステップ６６６ｃでユーザー名とユーザー環境の入力画面を表示し、使用者に少なくともユーザー名を入力させ、入力がされればステップ６６７へ進み、正規ディスク照合ルーチン６６７において、正規ディスクか海賊版かを判別する。図７２を用いて詳しく説明すると、ステップ６６７ａにおいて、照合ルーチンに入り、ステップ６６７ｂで光ディスクの再生を行い、光ディスクに一方向性関数で暗号化されて記録されているとディスク毎に異なるシリアル番号と、暗号デコーダの情報を再生する。ステップ６６７ｃでは、これらの暗号を、この暗号デコーダにより、平文化し、図３８の符号５３２に示すような物理特徴情報とＩＤ番号を得る。図３８において説明したので、説明は省略するが、ステップ６６７ｄにおいて、ディスクの物理特徴情報を測定し、測定物理特徴情報を得て、上述の平文化物理特徴情報と照合する。ステップ６６７ｅで照合結果が一致していなければ、ステップ６６７ｆで“複製ディスク”の表示を画面に表示し、プログラムを停止させる。さて、Ｙｅｓの場合は、ステップ６６７ｇに進み、次のステップつまり図７０のステップ６６８に戻り、マシンＩＤ照合・作成・記録ルーチンを実行する。このステップの詳しい動作は図７３のフローチャートを用いて説明する。まずステップ６６８ａにおいて、光ディスクの磁気記録部つまり、図７６のライトワンス層６７９に記録されている導入済みのマシンＩＤ番号を全て読み出し、次にＨＤＤやパソコンのＲＯＭＩＣの中に記録されているパソコン固有のマシンＩＤ番号を読み両者を照合する。ステップ６６８ｂで照合結果が一致すればステップ６６８ｍで、このルーチンを抜け出し、一致しない場合はステップ６６８ｃで、この磁気記録部をみて、インストールができるマシン台数のフラグがまだ残っているかを確認し、ステップ６６８ｄでＮｏなら停止し、Ｙｅｓならステップ６６８ｆでパソコン本体、もしくはＨＤＤの中にマシンＩＤがあるかをチェックし、Ｙｅｓならステップ６６８ｈにジャンプし、Ｎｏならステップ６６８ｇで、乱数発生器でマシンＩＤを発生し、ＨＤＤに記録する。次のステップ６６８ｈでは、ソフトのＨＤＤへのインストールが完了したかチェックし、Ｎｏならステップ６６８ｍへジャンプする。この場合はこのパスはないが、もしＹｅｓなら光ディスクの磁気記録部つまり、ライトワンス層６７９に、このパソコンの新マシンＩＤを記録し、ＯＫならステップ６６８ｍへ進みこのルーチンから抜け出す。このルーチンでは図７６のライトワンス層６７９を使うので、ユーザーのドライブではマシンＩＤを改ざんできず、違法ダビングが防止される。次は図７０のステップ６６６ｆへ進む。次のステップ６６６ｇでインストール作業を開始し、ステップ６６９ｘで正規暗号デコーダ照合ルーチンを実行する。このルーチンは、図７４を用いて詳しく説明する。ステップ６６９ａで、光ディスクもしくは、インストールされたプログラムの中に記録されている暗号デコードプログラムを呼び出し、ステップ６６９ｂでプログラム中、もしくはＨＤＤの中の特定の暗号化されているデータを読み出し、ステップ６６９ｃでこの暗号デコードプログラムで平文化する。ステップ６６９ｄで正しいかチェックし、正しい場合のみステップ６６９ｆで平文化されたデータをプログラムａの一部に組み込み動作させる。ステップ６６９ｇで動作チェックし、Ｎｏならステップ６６９ｈでプログラムを停止し、Ｙｅｓならステップ６６９ｉで次のステップへ進む。この場合は、図７０のステップ６６６ｈへ戻り、光ディスクの図５８で説明したインストール許可フラグ６５３をみて、例えば３番目のインストール許可フラグに空きがあるなら、基プログラム番号”０００００００１”に１桁追加し、”０００００００１３”なるプログラムライセンスＩＤ番号：ＩＤｎを発行し、ＨＤＤの中にインストールするプログラムにこの番号を付与して記録する。ステップ６６６ｉでプログラムのインストールが完了した場合ステップ６６６ｊで当パソコンのマシンＩＤがＨＤＤおよび光ディスクに記録済みかチェックしＹｅｓならステップ６６６ｋへ進みＮｏなら６６８ｘへ進みマシンＩＤの照合・作成・記録ルーチンを行い、図７３で既に説明した作業を行う。重複する説明は省略するが、今回は基本的なインストールが完了しておりステップ６６８ｈがＹｅｓのためステップ６６８ｉで光ディスクの磁気記録部に新マシンＩＤを記録して、ステップ６６８ｊで完了が確認できればステップ６６８ｍで、このサブルーチンを抜け出し、図７０のステップ６６６ｋに戻りユーザー名を図７６のＷｒｉｔｅ  Ｏｎｃｅ層６７９に記録し、環境設定情報をＲｅｗｒｉｔａｂｌｅ層６８０に記録する。前述のようにユーザー名はユーザーのドライブでは改ざんできないため、不正コピー者の摘発をすることによるコピー防止効果がある。ステップ６６６ｍではインストールしたプログラムのＨＤＤ内の物理アドレス配置、例えば開始、終了のＦＡＴ情報もしくは／かつインストールＩＤのマーク情報をＨＤＤに記録し、後でコピー検知情報として用いる。ステップ６６６ｎでＯＫならステップ６６６ｐでディスクの排出を完了したら、ステップ６６６ｑでインストールを全て完了する。本発明ではディスク照合により、海賊版を排除できる。次に暗号デコーダの入れ替えをチェックすることにより、セキュリティを高めている。
【００９７】
次に図７０に続くフローを図７１を用いて説明する。こうして一旦プログラムは図６９のＨＤＤ６８２の中にインストールされる。ステップ６７１ａでこのプログラムの起動命令が入力された場合、ステップ６７０ｘで不法コピーソフト使用停止ルーチンが作動する。このサブルーチンを図７５を用いて詳しく説明する。まずステップは同一ＩＤ番号のソフトの動作停止ルーチン６７２とプログラム移動検知ステップ６７３とマシンＩＤ照合ルーチン６７４と暗号復号器照合ステップ６７５の４つのブロックからなる。まず、ステップ６７２では、ステップ６７２ａでは、元々光ディスクより与えられたプログラムのライセンスＩＤｎを読み出し、ステップ６７２ｂで図６９のネットワーク部１４によりネットワーク６６４をみて、他の第２パソコン６６３の中のＨＤＤに同じＩＤｎのプログラムが作動中かをチェックする。ステップ６７２ｃで、もし同一のＩＤｎのプログラムを発見した場合はステップ６７２ｄに進み、表示部１６に“同一のＩＤ番号のソフト作動中のため動作できない”と表示し、停止させる。一方、同一のＩＤがない、つまりＮｏの場合はステップ６７３ａに進み、当プログラムの正規のＨＤＤ上のＦＡＴ情報等の配置情報Ａｃ又は正規インストール時にプログラム領域以外のところへ記録した正規マークＭｃを再生する。ステップ６７３ｂで、当プログラムのＨＤＤ上のＦＡＴ等の配置アドレスを測定し、Ａｐを得るか、正規マークＭｐを再生し、ステップ６７３ｃでＡｃ＝Ａｐ又はＭｃ＝Ｍｐかをチェックし、Ｎｏなら、プログラムが少なくとも別のＨＤＤへ移動されているためステップ６７３ｄで、“光ディスクの再挿入”を表示し、ステップ６７３ｅで挿入されなければ停止し、挿入なら図７２で説明した正規ディスク照合ルーチンで正規ディスクか確認し、かつステップ６７３ｇでプログラムのＩＤ番号が光ディスクのＩＤ番号と一致しているかを確認し、ＯＫならステップ６７４ａへ進む。ステップ６７４ａではプログラムに付与されている正規のマシンＩＤを再生し、プログラムの収納されているパソコンのマシンＩＤもしくはＨＤＤのマシンＩＤと照合し、Ｎｏならステップ６７４ｃ、つまり図７３で説明したマシンＩＤ照合・作成・記録ルーチン６６８を実行し、マシンＩＤを照合し、新たに記録する。ステップ６７４ｄでＮｏなら停止し、ＯＫならステップ６７５ａに進み、暗号デコーダを照合する。このルーチンは図７４と同じのため説明は省く。ステップ６７４ｂでＯＫでないなら、暗号デコーダが交換されている。このためステップ６７５ｃで“正規のディスクからインストールされていない”と表示し、停止させる。ステップ６７４ｂがＯＫならステップ６７０ａに進み、図７１に戻り次のステップ６７１ｂに戻りステップ６７１ｗでプログラムを起動させＯＫならステップ６７１ｃでファイル読み込み指令がきたら、ステップ６７０ｙで同じく不法コピー使用停止ルーチンを作動し、ＯＫならステップ６７１ｅでファイルを読み込み、ステップ６７１ｆ、ステップ６７１ｈで印刷命令、ファイルＳＡＶＥ命令がきたら、各々不正コピーソフト使用停止ルーチンを動作させＯＫの場合のみ、印刷作業やファイルＳＡＶＥを実行する。こうして各命令時にソフトのコピーをチェックするためネットワーク等で不法に他のパソコンにコピーされたソフトの使用が停止できる。本発明の場合、一方向関数を用いた海賊版防止方式とコピー防止方式を組み合わせることによりセキュリティが高いという効果がある。
【００９８】
図７７はＭＰＥＧのスクランブルエンコーダーを示す。ＭＰＥＧの画像圧縮信号はＡＣ成分の可変長符号部６８３と固定長符号部６８４に分けられ、各々に乱数加算部６８６ａ、６８６ｂがあり、スクランブル化される。本発明では、Ｋｅｙ６８７のスクランブル解除信号を一方向関数の暗号エンコーダー６８９ａで暗号化する。また、画像圧縮制御部６８９ｂの圧縮プログラムの一部を暗号エンコーダ６８９ｂにより圧縮している。このため、複製業者が暗号エンコーダーを入れ替えることが困難となる。
【００９９】
図７８は圧縮パラメーター部６９１のパラメーターを暗号化した側を示す。図７９は再生機のフローチャートを示し、ステップ６８１ａ、６８１ｂで光ディスクのＴＯＣ部から一方向関数の暗号デコーダーと暗号を再生し、ステップ６８１ｃデコーダーにより暗号を平文化し、物理特徴データを入手し、ステップ６８１ｄディスクの物理特徴を測定し、ＯＫの時のみステップ６８１ｆで再生を開始する。ステップ６８１ｇではスクランブルＫｅｙと伸長Ｋｅｙの暗号を再生し、ステップ６８１ｈでこれらと画像伸長プログラムを平文化する。ステップ６８１ｉでこれらが正しいなら６８１ｊでスクランブル映像信号をスクランブル解除し、ステップ６８１ｋで圧縮画像信号を伸長し、ステップ６８１ｍで正しく伸長されていれば、ステップ６８１ｐで再生を続ける。
【０１００】
本発明の場合、一方向関数の暗号エンコーダーが入れ替えられることを最も防止する必要がある。図７９の方式では画像圧縮プログラムの一部を同一の暗号エンコーダーで暗号化しているため、画像圧縮プログラムや圧縮パラメーターを解除しない限り、暗号エンコーダーの入れ替えはできないため、セキュリティを上げることができる。
【０１０１】
次により具体的な、複数の暗号デコーダをドライブのＲＯＭに収納し、複数の暗号エンコーダのｋｅｙで暗号化された暗号を平文化するシステムのフローチャートを図８３を用いて説明する。まず、ステップ６９３ａでデータコンテンツの一部もしくは全部を第１〜ｍサブ暗号エンコーダで暗号化し、Ｃｓ１〜Ｃｓｍを作成する。ステップ６９３ｂでＴＯＣの前に記録する場合は、ステップ６９３ｃで、この暗号を含むデータを原盤の第１記録領域に記録し、ステップ６９３ｅで前に説明したようにディスクの物理特徴情報を測定し、ステップ６９３ｆで、この物理特徴情報とサブ暗号復号情報をｉｎｔｅｒｎｅｔの通信回線で、第１〜第ｎマスター暗号化装置へ送信する。第１〜第ｎのうち第１マスター暗号センターでは、ステップ６９４ａのデータを受信し、ステップ６９４ｂで主暗号化ルーチンで暗号化する。このステップを図８４で詳しく説明すると、ステップ６９５ａで平文Ｍｎを入力し、ＩＤ番号等を加えて合成する。ステップ６９５ｂではＲＳＡ関数等の一方向性関数を用い、図に示すようにｄ＝５１２ｂｉｔの秘密の鍵で暗号化する。
【０１０２】
ステップ６９５ｃで第ｎマンター暗号Ｃｎを出力する。
【０１０３】
ここで、図８３のステップ６９４ｃに戻り、第ｎ＋１、この場合は第２マスター暗号化装置が稼動中かをチェックし、Ｙｅｓならステップ６９４ｄで、第１マスター暗号Ｃ１をプレス工場に送信する。Ｎｏならステップ６９４ｅで主暗号化ルーチンでＭ１を第１マスター暗号センターが予備用としてもっている第２暗号エンコーダ６９３ｖで暗号化して、第２マスター暗号Ｃ２を作成する。ステップ６９４ｆで第２マスター暗号Ｃ２を送信する。ステップ６９３ｇで第１〜ｎマスタ暗号を受信し、ステップ６９３ｈで合成し、統合暗号Ｃ１を作成し、ステップ６９３ｕでＣ１を原盤に記録するかをチェックし、Ｙｅｓならステップ６９３ｉでＣ１を原盤の第２記録領域に記録し、Ｎｏならステップ６９３ｊへ進み、データコンテンツが記録されていない場合のみ、ステップ６９３ｋで原盤の第１記録領域に記録し、原盤を作成し、ディスクを成形し反射膜を作成する。ステップ６９３ｑで反射膜にＣ１を記録するかをチェックし、Ｙｅｓの時はステップ６９３ｒで反射膜Ｃ１記録ルーチンに進む。このルーチンは図８５を用いて説明する。ステップ６９６ｂで、反射膜の物理特徴を作成するかをチェックし、Ｙｅｓなら反射膜にランダムな欠落部をレーザートリマー等により作成し、ステップ６９６ｄで欠落部の物理特徴情報を測定する。Ｎｏならステップ６９６ｅへ進む。さてステップ６９６ｅでマスター暗号エンコーダを用いるかをチェックし、Ｙｅｓならステップ６９６ｆで物理特徴とサブ暗号復号データを送信し、マスター暗号化センターで第１〜ｎマスター暗号化を行い、ステップ６９６ｈで受信し、ステップ６９６ｋへ進む。さて、Ｎｏの場合はステップ６９６ｉでディスク毎のシリアル番号ＩＤｄを発行し、ｍ番目のサブ暗号デコーダでＩＤｄと物理情報を暗号化し、サブ暗号Ｃｓを作る。次のステップ６９６ｋでＣｓもしくはＣＲ１〜ＣＲｎを反射膜上に欠落部を設けて形成し、次のステップへ向かう。図８３に戻り、ステップ６９３ｓで保護層もしくは磁気層を形成し、ステップ６９３ｔでディスクを完成させる。この場合のマスタリング装置５２９は、図１、図１０でネットワークによる外部暗号エンコーダ５７９は図２９で説明しているため、説明は省略する。この場合、異なるｎヶの暗号鍵が世界の地域の違う箇所にオンラインで存在するため、リスクが分散する。又、全てのｎヶの暗号鍵による暗号が一致しないと動作しないため、安全性が高い。
【０１０４】
このディスクを再生する時の暗号デコーダの動作に限定して図８６を用いて詳しく説明する。ステップ６９７ａでディスクの再生を開始し、ステップ６９７ｂで統合暗号Ｃ１を再生し、６９７ｃでＣ１をＣ１〜Ｃｎの各暗号に分離しステップ６９７ｖの暗号平文化ルーチンでｎヶの各々の暗号を対応する各々の暗号デコーダＤＣ（ｎ）で平文化する。まず、ｎ＝０とし、ステップ６９７ｆでｎを１つ増やし、ステップ６９７ｇで図６９のパソコン６７６のドライブのＲＯＭ部６９９の中に予め記録されている。マスター暗号デコーダＤＣ（１）〜ＤＣ（ｎ）から対応するデコーダを読み出し、暗号Ｃｎを平文化する。この平文化ルーチンを図８７で詳しく説明する。
【０１０５】
図８７のステップ６９８ａでは暗号Ｃｎを入力し、ステップ６９８ｂで一方向性関数で平文化する。ＲＳＡの場合、ｅは３以上の数でｎは２５６ｂｉｔ以上の公開鍵であればよく、ともに公開データである。ＲＳＡの特徴としてこの復号関数から暗号化関数を求めることは困難であるため、機密性は保たれる。ステップ６９８ｃで平文データＭｎを出力する。
【０１０６】
さて、図８６のステップ６９７ｈにもどり、平文が正しいかをチェックし、Ｙｅｓの時はステップ６９７ｉでｎが最終かをチェックし、Ｎｏの場合ステップ６９７ｆへ戻りＹＥＳの場合のみステップ６９７ｊへ進み、全暗号の平文データ一致方式かをチェックし、ＹｅｓならＭ１〜Ｍｎの全てのデータが一致するかをチェックし、Ｎｏならストップし、Ｙｅｓならステップ６９７ｍで物理特徴情報等を出力し、ステップ６９７ｎで測定物理特徴情報データを測定し、ステップ６９７ｐで両者を照合し、Ｎｏなら停止し、Ｙｅｓなら動作を許可する。次にステップ６９７ｒではサブ暗号復号情報に基づき、サブ暗号化器を暗号化されたスクラブルＫｅｙを平文化したり、ＩＤ番号、特定データのサブ暗号を理解する。ステップ６９７ｓで平文化がＯＫなら走行させ、ＮＯなら停止させる。
【０１０７】
この場合、サブ暗号デコーダはドライブのＲＯＭのマスタ暗号デコーダで平文化される。従って、海賊版業者がサブ暗号のエンコーダーとデコーダを入れ替えて複製することを防止できるという効果がある。またマスター暗号キーをｎヶ持ち、全てのキーが漏洩しない限り海賊版は動作しない。複製の一方向関数の暗号キーによりセキュリティを大巾に改善できる。
【０１０８】
ＲＳＡ関数とは別の関数として、図９５図と９６を用いて、楕円関数を用いた場合の暗号化のフローチャートを説明する。大きなルーチンとしてはステップ７３５ａで第１物理特徴情報の作成を行い、ステップ７３５ｆで第１物理特徴情報の認証暗号の作成、ステップ７３５ｎで第１物理特徴情報の認証、ステップ７３５ｗでディスクの照合を行う。
【０１０９】
まず、ステップ７３５ａでは、ステップ７３５ｂで、ディスクの物理特徴を測定し、第１物理特徴情報を得る。ステップ７３５ｃで、第１物理特徴情報とＩＤ番号とサブ暗号デコーダ番号を組み合わせ、ステップ７３５ｄで圧縮し、ステップ７３５ｅで圧縮した情報Ｈを得る。
【０１１０】
ステップ７３５ｆでは認証番号を作成する。まず、ステップ７３５ｇで、Ｘ＝１２８ｂｉｔ以上のＸなる秘密鍵を入力し、ステップ７３５ｈで、楕円曲線上の点で公開のシステムパラメータＧを決め、ｆ（ｘ）を一方向性関数（ｏｎｅ  ｄｉｒｅｃｔｉｏｎ  ｆｕｎｃｔｉｏｎ）とし、ｋを秘密の乱数とした場合、Ｒ＝ｆ（Ｇｋ）を求めた後、Ｒ’＝ｆ（Ｒ）を求め、Ｓ＝（Ｋ×Ｒ’−Ｈ）Ｘ−１ｍｏｄＱの式により、ステップ７３５ｉで認証暗号Ｒ，Ｓを生成する。ステップ７３５ｊで認証暗号Ｒ，Ｓと第１物理特徴情報を含む平文Ｈをディスクもしくは原盤に記録し、ステップ７３５ｋでディスクを出荷する。
【０１１１】
一方、再生装置側ではステップ７３５ｍでディスクを装着し、ステップ７３５ｐで認証暗号Ｒ，Ｓと平分Ｈを再生し、ステップ７３５ｑで公開パラメータＧ，Ｑを入手し、ステップ７３５ｒで、１２８ｂｉｔ以上の公開鍵Ｙを入力し、ステップ７３５ｓで復号演算を行う。Ｙ＝Ｇｘとし、Ａ＝ＳＲ−１ｍｏｄＱ，Ｂ＝ＨＲ−１ｍｏｄＱの演算を行う。ステップ７３５ｔで、Ｒ＝ｆ（ＹＡＧＢ）の演算を行い、左辺と右辺が一致するかを照合する。ＮＯの時はステップ７３５ｕで複製ディスクと判断し、ステップ７３５ｖで停止させる。Ｙｅｓの時は平分Ｈが改ざんされていないことを示すため、ステップ７３５ｗへ進む。図９６のステップ７３５ｗでは平分Ｈを伸長し、ステップ７３６ｂで第１物理特徴情報とＩＤ番号とサブ暗号デコーダ番号を出力する。ステップ７３６ｃで、ディスクの物理特徴を測定し、第２物理特徴情報を入手する。ステップ７３６ｄで照合部において第１物理特徴情報と第２物理特徴情報と照合し、ステップ７３６ｅで照合結果が一致するかをチェックし、ＮＯならステップ７３６ｆで“複製ディスク”と表示し、ステップ７３６ｇでプログラムを停止させる。Ｙｅｓの時はステップ７３６ｈへ進み、プログラムの実行もしくは再生データの出力を行う。楕円関数では、第１物理特徴情報の平分と認証暗号を送るため、認証暗号のデータ量が少ないため暗号復号時間を短縮できるという効果がある。
【０１１２】
では次に海賊版防止の暗号情報を光ディスクの原盤工程でＴＯＣ等の記録された第２記録領域７０８に記録する方法を図８８（ａ）（ｂ）と図８９のフローチャートを用いて説明する。図８８（ａ）は原盤７００ａのうち主にプログラムソフトや映像信号を記録するための第１記録領域７０７に信号を記録する状態を示す。通常のＣＤやＬＤの場合、内周部にＴＯＣがあり、かつ内周部から記録する。しかし、本発明では再生する場合の通常の信号とは時間軸方向に逆方向に記録信号出力部７２３は信号を発生する。従って、図８９のフローチャートのステップ７１１ｂにおいて光ヘッド６は外周部から信号を記録開始し、内周部方向に光ヘッド６はトラッキングされ、第１記録線７０９のようなうずまき状のピットが第１記録領域７０７に記録される。この時、同時にマスタリング装置において、モータ１７の回転角検知部１７ａより高精度の回転角度データを発生し、記録信号出力部７２３よりアドレス等のデータが出力される。従って、これらを物理特徴測定部７０３において、シミュレーション処理する。このことにより、原盤上にどのようなピットが形成されているかをサブミクロンの単位でＣＰＵ７２４でシミュレーションすることができる。こうして、ステップ７１１ｃにおいて原盤の全ての物理特徴情報を測定し、ステップ７１１ｄにおいてアドレスと一定の関係にある各ピットが原盤上にどの角度位置にあるかを測定し、非常に複製しにくい特徴部を抽出する。単にどのアドレスのピットがどの角度にあるという情報でもよい。また、隣接するトラックのピット同志が偶然全く、同じピット表、ピット配列である領域を探し、この角度位置叉はアドレス位置、トラック番号と同相ピットデータ列を物理特徴情報としてもよい。物理特徴情報は図１０、図１８、図２０、図３８、図４３において何度も様々な方法を説明しているので、説明は省略する。ステップ７１１ｅにおいて、物理特徴情報にＩＤ番号やサブ暗号復号データを合成して、ステップ６９４の複数の暗号化装置に送り、第ｎ暗号化装置で受信し、ステップ６９４ｊで第ｎ暗号化エンコーダで暗号化し、ステップ６９４ｋで送信する。このルーチンは図８３と図８４に示してあるので省略する。次のステップ７１１ｆで一方向関数の暗号エンコーダ５３７で暗号化された暗号Ｃ１〜Ｃｎを受信し、ステップ７１１ｇで複数の暗号化センターから受信した暗号Ｃ１〜Ｃｎを合成し、第２記録信号と合成し、第１記録信号と連続した信号を図８８（ａ）の記録信号処理部７２３で作成し、記録部３７により原盤７００ｂのＴＯＣ等の記録された内周部にうずまき状に内周側へ第２記録線７１０のピットを記録し、ステップ７１１ｈで記録完了する。
【０１１３】
通常では内周から外周方向つまり、再生時の再生方向と同じ方向に原盤を作成する。しかし、本発明では記録信号の時間軸を逆方向にして、外周から内周へ記録して原盤を作成し、最後に海賊版防止信号を記録するため、１本の連続的なピットが形成できる。このため、ＣＤ等の規格の中で海賊版防止が実現する。
【０１１４】
次に図９０の情報処理装置のブロック図と図９１の再生時のフローチャートを用いて、再生動作を説明する。ステップ７１２ａにおいて、まずＴＯＣ領域等を含む第２記録領域７０８を再生する。このステップはＣＤと同じである。次にステップ７１２ｂで第１〜第ｎ暗号Ｃ１〜ＣｎとＴＯＣ等の情報を再生し、ステップ７１２ｃでマスター暗号デコーダ５３４のＲＯＭ６９９の中の固定キーで複数ヶある第１〜ｎ暗号デコーダ５３４ａ、５３４ｂ、５３４ｃ等により、暗号Ｃ１〜Ｃｎを図８７の暗号デコードルーチン６９８を用いて平文化し、Ｍ１〜Ｍｎを得る。ステップ７１２ｄでＭ１〜Ｍｎつまり、物理特徴情報、サブ暗号復号情報、ＩＤ番号を平文情報出力部７１４より出力する。ステップ７１２ｅで平文データ照合部７１５においてＭ１〜Ｍｎの一部もしくは全部が全て一致しているかをチェックする。ステップ７１２ｆでＯＫならステップ７１２ｆへ、ＮＯならステップ７１３へ進み、停止ルーチンに入る。このルーチンではステップ７１３ａで表示部１６へＣＰＵ６６５は”複製ディスク”と表示し、ステップ７１３ｂでプログラム／再生動作停止部７１７により、プログラムもしくは再生動作を停止させて、ステップ７１３ｃで停止する。
【０１１５】
ステップ７１２ｇに戻り、Ｙｅｓの時は再生を開始し、ステップ７１２ｈで物理特徴測定部７０３ａによりディスクのアドレス、回転角度、低反射部を得る。そして、オフトラック指示信号をトラッキング制御部２４に与えてトラックの間に光ビームを走行させ、クロストーク信号をとり、同相信号を検出し、データ列を得る。こうして、第１記録領域７０７、もしくは第２記録領域７０８の測定物理特徴情報を得る。図１８等で、この方法を前に説明したので省略する。ステップ７１２ｊで物理特徴情報照合部５３５において、測定物理特徴情報と物理特徴情報を照合し、ステップ７１２ｊで照合結果が不正の場合はステップ７１３ｄの前述の停止ルーチン７１３へ進む。ＯＫの場合はステップ７１２ｋでプログラム／再生動作許可部７２２により再生を継続したり、プログラムの動作を許可する。
【０１１６】
ステップ７１２ｍでサブ暗号デコーダを用いるかをチェックし、ＮＯならステップ７１２ｒへジャンプし、データを出力し、Ｙｅｓならステップ７１２ｎ、７１２ｐで第１記録領域の暗号化信号を再生し、平文化する。又は図７７で説明した可変長符号部６８３に加えられたフクランブル解除キーをこのサブ暗号で暗号化し、スクランブル信号を光ディスクに記録し、図７９の再生時のフローチャートのステップ６８１ｈにおいて、スクランブル解除Ｋｅｙを図９１のサブ暗号デコーダでデスクランブルすることにより、正規のディスクのユーザーは完全な映像を再生できる。一方、不法に複製されたディスクはデスクランブルできないため、可変長符号成分つまり、高域成分のない悪い映像しか再生できないという効果がある。そして、ステップ７１２ｑでサブ暗号で平文化したデータもしくはスクランブル映像信号をデスクランブルした映像信号を出力し、ステップ７１２ｒで出力部より最終データを出力する。
【０１１７】
以上のように、図８８のように記録データの時間軸を逆にし、外周より内周へ記録し、原盤を作成することにより１本のスパイラルトラックで追記方式の海賊版防止ディスクが実現する。規格を変える必要がなく、通常の光ヘッドで追記データを再生できるため、構成が簡単になるという効果がある。
【０１１８】
【発明の効果】
以上のように、本発明によりＣＤ等の規格を満しながら、光記録面の裏側に磁気記録部をもつメディアと記録再生装置を民生用途の使用環境において信頼性を確保しながら、民生用途のコストで実現することができる。また、デイスクの物理ＩＤを一方向性の暗号エンコーダーにより暗号化することにより複製防止の安全度を高めることができる。
【図面の簡単な説明】
【図１】本発明の実施例１におけるマスタリング装置のブロック図
【図２】（ａ）は同実施例１における記録時の線速度の時間変化図
（ｂ）は同実施例１における光ディスク上の１．２ｍ／ｓ時のアドレス位置の図
（ｃ）は同実施例１における光ディスク上の１．２ｍ／ｓ→１．４ｍ／ｓ時のアドレス位置の図
【図３】同実施例１における正規のＣＤのアドレスの物理配置図及び不正に複製されたＣＤのアドレスの物理配置図
【図４】同実施例１におけるディスクの回転パルス，物理位置信号及びアドレス情報と時間の関係図
【図５】同実施例１におけるＣＤの複製防止原理の説明図
【図６】同実施例１における記録再生装置のブロック図
【図７】同実施例１における不正複製ディスクのチェックのフローチャート
【図８】（ａ）は同実施例１におけるＩＤ番号記録したＣＤの工程図
（ｂ）は従来のＣＤの工程図
【図９】同実施例１における着磁機の説明図
【図１０】同実施例１におけるＩＤ番号入力の原理図
【図１１】同実施例１における線速度とアドレスの物理配置の説明図
【図１２】同実施例１における正規の原盤の不正に複製された原盤の判別方法の説明図
【図１３】同実施例１におけるＣＤ作成機と記録再生装置のブロック図
【図１４】同実施例１におけるフローチャート
【図１５】同実施例１におけるデイスク原盤のアドレスの配置図
【図１６】同実施例１における記録再生装置のブロック図
【図１７】同実施例１における不正に複製されたディスクと正規のディスクに対するピット深さの検知法の説明図
【図１８】同実施例１におけるディスク物理配置表を示す図
【図１９】同実施例１における偏芯のない場合及びある場合の光ディスクのアドレス配置図
【図２０】同実施例１における正規ディスク及び不正複製ディスクのトラッキング変位量を示す図
【図２１】同実施例１におけるアドレスＡｎ，角度Ｚｎ，トラッキング量Ｔｎ及びピット深さＤｎを示す図
【図２２】同実施例１におけるレーザー出力とピット深さと再生信号を示す図
【図２３】同実施例１における各原盤作成装置に対する複製防止効果を示す図
【図２４】同実施例１における原盤作成装置のブロック図
【図２５】同実施例１における原盤作成装置のブロック図
【図２６】同実施例１における原盤作成装置のブロック図
【図２７】同実施例１における原盤作成装置のブロック図
【図２８】同実施例１における原盤作成装置のブロック図
【図２９】同実施例１における原盤作成システムの全体ブロック図
【図３０】（ａ）は同実施例１におけるレーザー出力の波形図
（ｂ）は同実施例１におけるレーザー出力の波形図
（ｃ）は同実施例１における基板の断面図
（ｄ）は同実施例１における基板の断面図
（ｅ）は同実施例１における成形ディスクの断面図
【図３１】同実施例１におけるレーザー記録出力と再生信号との関係図
【図３２】同実施例１における原盤作成の工程図
【図３３】同実施例１における作成原盤とそのプレス型の説明図
【図３４】同実施例１における原盤作成の工程図
【図３５】同実施例１における作成原盤とそのプレス型の説明図
【図３６】実施例１における原盤作成及び記録媒体製造の工程フローチャート
【図３７】実施例１におけるディスクチェック方式のフローチャート
【図３８】実施例１におけるディスク作成とディスク作成のブロック図
【図３９】実施例１における低反射部位置検出部のブロック図
【図４０】実施例１における記録再生装置のブロック図
【図４１】実施例１におけるディスクの説明図
【図４２】実施例１における低反射部のアドレス・クロック位置検出の原理図
【図４３】実施例１における正規ディスクと複製ディスクの低反射部アドレス表の比較図
【図４４】実施例１における一方向関数によるディスク照合のフローチャート
【図４５】実施例１における原盤別アドレスの座標位置の比較図
【図４６】実施例１における低反射位置検出プログラムのフローチャート
【図４７】実施例１における低反射部の製造法の工程図
【図４８】実施例１における低反射部の製造法の工程図
【図４９】実施例１における低反射部の製造法の工程図
【図５０】実施例１における低反射部の製造法の工程図
【図５１】実施例１におけるディスクの上面図
【図５２】実施例１におけるマスター暗号のデータ構造図
【図５３】実施例１における物理の生成図
【図５４】実施例１におけるエラーＣＰ符号による複製検出の原理図
【図５５】実施例１におけるＥＦＭ特許符号による複製検出の原理図
【図５６】実施例１における複製防止用ＥＦＭ変換表の図
【図５７】実施例１における複数のサブ暗号エンコーダーを選択する方式のフローチャート
【図５８】実施例１におけるインストールを許可する方式のフローチャート
【図５９】実施例１における光学マークを用いた複製防止方式のディスクの原理図
【図６０】実施例１における光ディスクの低反射部の製造工程図
【図６１】実施例１における光ディスクの第１低反射部と第２低反射部の製造工程図
【図６２】（ａ）実施例１におけるオフトラック方式の記録再生装置のブロック図
（ｂ）実施例１におけるオフトラック方式のオントラック状態のトラッキングの図
（ｃ）実施例１におけるオフトラック方式のオフトラック状態のトラッキングの図
【図６３】実施例１における角度配置検出方式とオフトラック信号方式を組み合わせた複製防止方式の原理図
【図６４】（ａ）実施例１におけるＣＤのラベル面の異物の配置を示す上面図
（ｂ）実施例１における表示部のＣＤの表示状態図
【図６５】実施例１における表示部のエラーメッセージの表示状態図
【図６６】実施例１における清掃指示のフローチャート
【図６７】実施例１におけるカッティングによるバーコードの製造工程図
【図６８】実施例１における第１反射膜と第２反射膜の製造工程図
【図６９】同実施例１の磁気記録装置のブロック図
【図７０】同実施例１の動作のフローチャート
【図７１】同実施例１の動作のフローチャート
【図７２】同実施例１の動作のフローチャート
【図７３】同実施例１の動作のフローチャート
【図７４】同実施例１の動作のフローチャート
【図７５】同実施例１の動作のフローチャート
【図７６】同実施例１の光ディスクのＲＯＭ部とＲＡＭ部のデータ階層構成図
【図７７】同実施例１の画像エンコード部のブロック図
【図７８】同実施例１の画像圧縮エンコーダーのブロック図
【図７９】同実施例１の動作のフローチャート
【図８０】同実施例のインストールプログラムのフローチャート
【図８１】同実施例１における画面表示図
【図８２】同実施例１における記録再生装置のブロック図
【図８３】同実施例１における暗号化のフローチャート
【図８４】同実施例１における主暗号のフローチャート
【図８５】同実施例１における反射膜記録ルーチンのフローチャート
【図８６】同実施例１におけるディスク再生時のフローチャート
【図８７】同実施例１における暗号デコードのフローチャート
【図８８】同実施例１におけるマスタリング装置のブロック図
【図８９】同実施例１における原盤作成のフローチャート
【図９０】同実施例１における情報処理装置のブロック図
【図９１】同実施例１における情報再生時のフローチャート
【図９２】同実施例１における同相しんごうの再生原理図
【図９３】（ａ）同実施例１における２点一致方式の原理図
（ｂ）同実施例１における３点一致方式の原理図
【図９４】同実施例１における４点一致方式の原理図
【図９５】同実施例１におけるフローチャート（その１）
【図９６】同実施例１におけるフローチャート（その２）
【図９７】同実施例１における第２低反射部の上面図
【符号の説明】
１  記録再生装置
２  記録媒体
３  磁気記録層
４  光記録層
５  光透過層
６  光ヘッド
７  光記録ブロック
８  磁気ヘッド
８ａ    主磁極
８ｂ    副磁極
８ｃ    ヘッドキャップ
８ｅ    均一磁界領域
８ｍ  磁界変調磁気ヘッド
８ｓ  キャンセル用磁気ヘッド
９  磁気記録ブロック
１７  モーター
１８  光ヘッド
１９  ヘッド台
２３  ヘッド移動アクチュエーター
２３ａ  トラバースアクチュエーター
２４ａ  トラバース移動回路
３４  メモリー
３４ａ  メモリー（システム用）
３７  光記録回路
３７ａ    時間軸回路
３７ｂ  光記録部
３７ｃ  光出力部
３７ｄ  合成部
３８ａ  クロック再生回路
４０  コイル
４０ａ    磁界変調用コイル
４０ｂ    磁気記録用コイル
４０ｃ    タップ
４０ｄ    タップ
４０ｅ    タップ
４１  スライダー
４２  ディスクカセット
４３  印刷下地層
４４  印刷領域
４５  印字
４６  ピット
４７  基板
４８  光反射層
４９  印刷インキ
５０  保護層
５１  矢印
５２  光記録信号
５４  レンズ
５７  発光部
６０  接着層
６１  磁気記録信号
６５  光トラック
６６  焦点
６７  磁気トラック
６７ａ  記録磁気トラック
６７ｂ  再生磁気トラック
６７ｓ  サーボ用磁気トラック
６７ｆ  ガードバンド
６７ｇ  ガードバンド
６７ｘ  清掃用トラック
６９  ハイμ磁性層
７０  ヘッドギャップ
７０ａ  記録ヘッドギャップ
７０ｂ  再生ヘッドギャップ
８１  干渉層
８４  反射膜
８５  変調磁界
８５ａ    磁束
８５ｂ    磁束
１５０  連結部
２０１  判別ステップ
２０２  再生ステップ
２０３  再生転記ステップ
２０４  再生専用ステップ
２０５  記録転記ステップ
２０６  記録ステップ
２０７  転記ステップ
２１０  消磁領域
２１０ａ  消磁領域
２１０ｂ  消磁領域
３０１  シャッター
３０２  ヘッド穴
３０３  ライナー穴
３０４  ライナー
３０５  ライナー支持部
３０５ａ  可動部
３０５ｂ  副ライナー支持部
３０５ｃ  ライナー昇降部
３０７  溝
３０７ａ  ライナー駆動溝
３１０  ライナーピン
３１１  ライナーピンガイド
３１２  ピン駆動テコ
３１３  認識穴
３１４  保護ピン
３１５  ライナー駆動部
３１６  ピン軸
３１７  バネ
３１８  連結部
３１９  ピンシャッター
３２０  光アドレス
３２１ａ  センター
３２１ｂ  センター
３２１ｃ  センター
３２２  光データ列
３２３  アドレス
３２４  データ
３２５  ガードバンド
３２６  トラック群
３２７  ブロック
３２８  トラックデータ
３２８  同期信号
３２９  アドレス
３３０  パリティ
３３１  データ
３３３  分離回路
３３４  変調回路
３３５  ディスク回路角検知部
３３６  偏心補正量メモリー
３３７  無信号部
３３８  トラバース制御部
３３９  光アドレス磁気アドレス対応テーブル
３４０  ヘッドアンプ
３４１  復調器
３４２  エラーチェック部
３４３  データ分離部
３４４  ＡＮＤ回路
３４５  記録データ
３４６  無光アドレス領域
３４７  光アドレス領域
３４８  磁気ＴＯＣ領域
３４９  トラック軌跡
３５０  ヘッド再生部
３５１  メモリーデータ
３５２  塗布材ツボ
３５３  塗布材転写ロール
３５４  凹版ドラム
３５５  エッチング部
３５６  スクライバー
３５７  ソフト転写ロール
３５８  塗布部
３６０  磁気シールド
３６１  樹脂部
３６２  ランダム磁界発生機
３６３  トラバースシャクト
３６３ｂ  磁気ヘッドトラバースシャクト
３６４  位置基準部
３６５  ディスクロック部
３６６  トラバース連結部
３６７  トラバース歯車
３６７ｃ  磁気ヘッドトラバース歯車
３６８  参照テーブル
３６９  同期部
３７０  記録フォーマット
３７１  トラック番号部
３７２  データ部
３７３  ＣＲＣ部
３７４  ギャップ部
３７５  連結部ガイド部
３７６  ディスククリーニング部
３７７  磁気ヘッドクリーニング部
３７８  ノイズキャンセラー
３８０  ディスククリーニング部連結部
３８１  磁気センサー
３８２  光再生クロック信号
３８３  磁気クロック信号
３８４  磁気記録信号
３８５  判別ウインドウ時間
３８６  光センサー
３８７  光学マーク
３８７ａ  バーコード
３８８  透光部
３８９  上ブタ
３９０  カセットブタ
３９１  磁気面用シャッタ
３９２  シャッタ連結部
３９３  カセットブタ回転軸
３９４  カセット挿入口
３９５  テープ
３９６  ラベル部
３９７  ブザー
３９８  磁気記録領域
３９９  スクリーン印刷機
４００  バーコード印刷機
４０１  高Ｈｃ部
４０２  磁性部
４０２ａ  空間部
４０３  磁性部
４０４  鍵管理テーブル
４０５  フローチャートのステップ
４０６  鍵解除デコーダ
４０７  音声伸長ブロック
４０８  パーソナルコンピュータ
４０９  ハードディスク
４１０  インストールステップ
４１１  アプリケーション
４１２  ＯＳ
４１３  ＢＩＯＳ
４１４  ドライブ
４１５  インタフェース
４１６  フローチャートのステップ
４２１  光ファイル
４２２  磁気ファイル
４３６  ネットワークＢＩＯＳ
４３７  ＬＡＮネットワーク
４４７  フローチャートのステップ
４４７ａ  フローチャートステップ
４４８  修正済みデータ
４４９  ディスプレイ
４５０  キーパッド
４５１  エラー訂正ステップ
４５２  パリティ
４５３  Ｃ１パリティ
４５４  Ｃ２パリティ
４５５  Ｉｎｄｅｘ
４５６  サブコード同期検出部
４５７  インデックス検出部
４５８  分周器
４５９  磁気同期信号検出部
４６０  最短／最長パルス検出部
４６１  疑似光同期信号発生部
４６２  疑似磁気同期信号発生部
４６３  光同期信号検出器
４６４  分周／逓倍器
４６５  切換えスイッチ
４６６  波形整形部
４６７  クロック再生部
４６８  メディア識別子
４６９  光アドレス情報
４７０  データ
５１４  バネ
５１４ａ  ヘッド昇降連結手段
５１４ｂ  ヘッド昇降禁止手段
５１４ｃ  光ヘッド走行領域
５１６  ローディングモータ
５１７  ローディング歯車
５１８  トレイ移動歯車
５１９  ヘッド昇降器
５２０  トレイ
５２１  上ブタの開閉軸
５２２  メニュー画面・選択番号テーブル
５２３  プレイバックコントロール情報
５２４  フローチャートのステップ
５２５  リストＩＤオフセットテーブル
５２６  光サーチ情報
５２７  磁気トラッチサーチ情報
５２８  マスターデータ
５２９  マスタリング装置
５３０  データ配置
５３１  Ｚｏｎｅ
５３２  物理配置テーブル
５３３  不正ディスクチェック回路
５３４  暗号デコーダ
５３５  照合回路
５３６  出力／動作停止手段
５３７  暗号エンコーダ
５３８  暗号信号
５３９  物理位置
５４０  着磁機
５４１  着磁部
５４２  着磁極
５４３  着磁電流発生器
５４４  電流切換器
５４５ａ  コイル
５４６  ＩＤ番号発生器
５４７  混合器
５４８  分離キー
５４９  分離器
５５０  ＩＤ番号
５５１  フローチャートのステップ
５５２  物理配置信号
５５３  角度位置検知部
５５４  トラッキング量検知部
５５５  ピット深さ検知部
５５６  測定ディスク物理配置表
５５７  ディスク中心
５５８  ディスクの回転中心
５５９  偏芯部
５６０  ピット
５６１  複製ピット
５６２  パルス信号
５６３  複製防止信号
５６４  トラッキング変調信号発生部
５６５  コピー防止信号発生部
５６６  光出力変調信号発生部
５６７  光出力変調部
５６８  パルス巾変調部
５６９  パルス巾調整部
５７０  出力アドレス情報部
５７１  時間軸変更部
５７２  原盤
５７３  感光層
５７４  感光部
５７５  金属原盤
５７６  成形デイスク
５７７  第２感光部
５７８  通信インターフェース部
５７９  外部暗号デコーダー
５８０  ピット群
５８１  再生波形
５８２  ランダム抽出器
５８３  乱数発生器
５６５  画面
５６６  ステップ（ステップ仮想ファイルのフローチャート）
５６７  ウィンドウ
５６８  フォルダー
５６９  ファイル
５７０  ＣＤ−ＲＯＭアイコン
５７１  ＣＤ−ＲＯＭ−ＲＡＭアイコン
５７２  ＨＤＤ
５７３  Ｉｎｖｉｓｉｂｌｅ  ｆｉｌｅ
５７４  Ｉｎｖｉｓｉｂｌｅ  Ｆｏｌｄｅｒ
５７５  表示
５７６  実体容量表示
５７７  仮想容量表示
５７８  パスワード入力部
５７９  ファイル名入力部
５８４  低反射部
５８５  基準低反射部
５８６  低反射光量検出部
５８７  光量レベル比較器
５８８  光量基準値
５８９  ＨＰＦ
５９０  波形整形回路
５９０ａ  ＡＧＣ
５９１  復調部
５９２  ＥＦＭ
５９３  物理アドレス出力部
５９４  アドレス出力部
５９５  同期信号出力部
５９６  低反射部アドレス・クロック番号位置信号出力部
５９７  ｎ−１アドレス出力部
５９８  クロックカウンター
５９９  低反射部開始／終了位置検出部
６００  低反射部位置検出部
６０１  低反射部角度位置信号出力部
６０２  低反射部角度位置検出部
６０３  ｎ−１アドレス信号
６０４  同期信号
６０５  低反射部開始点
６０６  低反射部終了点
６０７  時間遅れ補正部
６０８  基準遅延時間ＴＤ測定部
６０９  低反射部・アドレス表
６１０  蒸着防止部
６１１  保護層
６１２  インキ
６１３  遮光部
６１４  接着部
６１５  第１マスク
６１６  第２マスク
６１７  印字部
６１８  ＣＰ光マーク部
６１９  暗号データ記録部
６２０  バーコード
６２１  バーコード復調部
６２２  文字パターン
６２３  発熱部
６２４  発熱ヘッド
６２５  フィルム
６２６  ディスク物理ＩＤ
６２７  スタンパー物理ＩＤ
６２８  ディスク管理ＩＤ
６２９  マスター暗号
６３０  書き込み層
６３１  エラー符号−アドレス表
６３２  ＣＰエラー符号
６３３  物理ＩＤ出力部
６３４  エラー符号リスト
６３５  標準符号
６３６  ＣＰＥＦＭ変換表
６３７  原データ
６３８  復号データ
６３９  ＣＰ特殊符号
６４０  ＣＰ特殊符号検出部
６４１  ＣＰ特殊符号アドレス出力部
６４２  ＣＰ特殊符号−アドレス表
６４３  レーザートリミング装置
６４４  レーザービーム偏向装置
６４５  オフトラック切り換え回路
６４６  トラックサーボ極性反転部
６４７  オフトラック信号再生部
６４８  光センサー
６４９  光ビームスポット
６５０  同相再生信号
６５１  逆相再生信号
６５２  同相再生信号
６５３  同相信号ブロック
６５４  Ｆｒａｍｅ  Ｓｙｎｃ信号
６５５  異物
６５６  パルス巾変調信号復調部
６５７  再生出力検知部
６５８  再生出力基準値
６５９  再生出力低下部
６６０  オフセット電圧検知部
６６１  調器切り換え部
６６２  ２復調器
６６３  ２パソコン
６６４  ネットワーク
６６５  ＣＰＵ
６６６  ステップ（インストールプログラム）
６６７  ステップ（正規ディスク照合ルーチン）
６６８  ステップ（マシンＩＤ照合作成記録ルーチン）
６６９  ステップ（正規暗号デコーダ照合ルーチン）
６７０  ステップ（不法コピーソフト使用停止ルーチン）
６７１  ステップ（プログラム動作ルーチン）
６７２  ステップ（同一ＩＤ番号ソフトの動作停止ルーチン）
６７３  ステップ（プログラム移動検知ステップ）
６７４  ステップ（マシンＩＤ照合ステップ）
６７５  ステップ（暗号復号器照合ステップ）
６７６  パソコン
６７７  ＣＤ−ＲＯＭ層
６７８  仮想ＲＯＭ層
６７９  ライトワンス層
６８０  記録層
７００  原盤
７０１  記録層
７０３  物理特徴情報測定部
７０４  物理特徴情報送信部
７０５  物理特徴情報受信部
７０６  平文情報出力部
７０７  第１記録領域
７０８  第２記録領域
７０９  第１記録線
７１０  第２記録線
７１１  ステップ（原盤記録フローチャート）
７１２  ステップ（再生フローチャート）
７１３  ステップ（停止ルーチン）
７１４  平文情報出力部
７１５  平文データ照合部
７１６  平文データ一致検知部
７１７  プログラム動作停止部
７１８  サブ暗号デコーダ
７１９  ＲＡＭ部
７２０  サブ暗号復号データ
７２１  平文化データ出力部
７２２  プログラム／再生動作停止部
７２３  記録信号出力部
７２４  ＣＰＵ
【図１】
0003562509.tif 000002
【図２】
0003562509.tif 000003
【図３】
0003562509.tif 000004
【図４】
0003562509.tif 000005
【図５】
0003562509.tif 000006
【図６】
0003562509.tif 000007
【図７】
0003562509.tif 000008
【図８】
0003562509.tif 000009
【図９】
0003562509.tif 000010
【図１０】
0003562509.tif 000011
【図１１】
0003562509.tif 000012
【図１２】
0003562509.tif 000013
【図１３】
0003562509.tif 000014
【図１４】
0003562509.tif 000015
【図１５】
0003562509.tif 000016
【図１６】
0003562509.tif 000017
【図１７】
0003562509.tif 000018
【図１８】
0003562509.tif 000019
【図１９】
0003562509.tif 000020
【図２０】
0003562509.tif 000021
【図２１】
0003562509.tif 000022
【図２２】
0003562509.tif 000023
【図２３】
0003562509.tif 000024
【図２４】
0003562509.tif 000025
【図２５】
0003562509.tif 000026
【図２６】
0003562509.tif 000027
【図２７】
0003562509.tif 000028
【図２８】
0003562509.tif 000029
【図２９】
0003562509.tif 000030
【図３０】
0003562509.tif 000031
【図３１】
0003562509.tif 000032
【図３２】
0003562509.tif 000033
【図３３】
0003562509.tif 000034
【図３４】
0003562509.tif 000035
【図３５】
0003562509.tif 000036
【図３６】
0003562509.tif 000037
【図３７】
0003562509.tif 000038
【図３８】
0003562509.tif 000039
【図３９】
0003562509.tif 000040
【図４０】
0003562509.tif 000041
【図４１】
0003562509.tif 000042
【図４２】
0003562509.tif 000043
【図４３】
0003562509.tif 000044
【図４４】
0003562509.tif 000045
【図４５】
0003562509.tif 000046
【図４６】
0003562509.tif 000047
【図４７】
0003562509.tif 000048
【図４８】
0003562509.tif 000049
【図４９】
0003562509.tif 000050
【図５０】
0003562509.tif 000051
【図５１】
0003562509.tif 000052
【図５２】
0003562509.tif 000053
【図５３】
0003562509.tif 000054
【図５４】
0003562509.tif 000055
【図５５】
0003562509.tif 000056
【図５６】
0003562509.tif 000057
【図５７】
0003562509.tif 000058
【図５８】
0003562509.tif 000059
【図５９】
0003562509.tif 000060
【図６０】
0003562509.tif 000061
【図６１】
0003562509.tif 000062
【図６２】
0003562509.tif 000063
【図６３】
0003562509.tif 000064
【図６４】
0003562509.tif 000065
【図６５】
0003562509.tif 000066
【図６６】
0003562509.tif 000067
【図６７】
0003562509.tif 000068
【図６８】
0003562509.tif 000069
【図６９】
0003562509.tif 000070
【図７０】
0003562509.tif 000071
【図７１】
0003562509.tif 000072
【図７２】
0003562509.tif 000073
【図７３】
0003562509.tif 000074
【図７４】
0003562509.tif 000075
【図７５】
0003562509.tif 000076
【図７６】
0003562509.tif 000077
【図７７】
0003562509.tif 000078
【図７８】
0003562509.tif 000079
【図７９】
0003562509.tif 000080
【図８０】
0003562509.tif 000081
【図８１】
0003562509.tif 000082
【図８２】
0003562509.tif 000083
【図８３】
0003562509.tif 000084
【図８４】
0003562509.tif 000085
【図８５】
0003562509.tif 000086
【図８６】
0003562509.tif 000087
【図８７】
0003562509.tif 000088
【図８８】
0003562509.tif 000089
【図８９】
0003562509.tif 000090
【図９０】
0003562509.tif 000091
【図９１】
0003562509.tif 000092
【図９２】
0003562509.tif 000093
【図９３】
0003562509.tif 000094
【図９４】
0003562509.tif 000095
【図９５】
0003562509.tif 000096
【図９６】
0003562509.tif 000097
【図９７】
0003562509.tif 000098